(57)【要約】【課題】複数のリモコン端末によってカラオケ装置を操作するカラオケシステムおいて、それぞれのリモコン端末が内蔵する２次電池の出力電圧レベルや充電量が少なくてもカラオケルームとしての利用時間の低下を防止する技術を提供する。【解決手段】カラオケ装置４が複数のリモコン端末５から充電状態フラグを受信した場合に、複数のリモコン端末５の充電状態フラグから複数のリモコン端末５を順次選定する。カラオケ装置４が選定したリモコン端末５へ表示部５８及び操作部６０に二次電源を供給する要求情報を送信し、選定していないリモコン端末５へ表示部５８及び操作部６０に二次電源を切断する要求情報を送信する。リモコン端末５がカラオケ装置４から二次電源を供給する要求情報を受信した場合には、表示部５８及び操作部６０に二次電源を供給し、二次電源を切断する要求情報を受信した場合には、表示部５８及び操作部６０に供給する二次電源を切断する。【選択図】図１
2008224753.tif 000002
【特許請求の範囲】
【請求項１】
カラオケ演奏を行うカラオケ装置及び前記カラオケ装置を操作するための複数のリモコン端末を備え、カラオケ装置と前記複数のリモコン端末との間で各種情報を送受信可能に構成されたカラオケシステムであって、
前記カラオケ装置は、
前記複数のリモコン端末それぞれに各種情報を送信する第一のカラオケ装置側送信手段と、
前記複数のリモコン端末それぞれによって送信された各種情報を受信する第一のカラオケ装置側受信手段と、
リモコン端末を識別するためのリモコン端末識別情報及び前記リモコン端末の電源部の出力電圧を示す出力電圧情報を関連付けた出力電圧関連情報を記憶するカラオケ装置側記憶手段と、
前記複数のリモコン端末それぞれに前記出力電圧関連情報を送信するよう要求する出力電圧要求情報を前記第一のカラオケ装置側送信手段を制御して送信させる出力電圧要求情報送信手段と、
前記第一のカラオケ装置側受信手段が前記複数のリモコン端末それぞれから前記出力電圧関連情報を受信した場合には、受信した前記出力電圧関連情報それぞれを前記カラオケ装置側記憶手段を制御して記憶させる記憶制御手段と、
前記第一のカラオケ装置側受信手段が前記複数のリモコン端末それぞれから前記出力電圧関連情報を受信したか否かを判断し、前記複数の全てのリモコン端末から前記出力電圧関連情報を受信したと判断した場合に、前記カラオケ装置側記憶手段が記憶する前記複数のリモコン端末それぞれの前記出力電圧関連情報から前記複数のリモコン端末それぞれのリモコン端末識別情報を順次選定する選定手段と、
前記選定手段が選定するリモコン端末識別情報によって識別されるリモコン端末へその表示手段及び操作手段に電源電圧を供給するよう要求するための電源供給要求情報を前記第一のカラオケ装置側送信手段を制御して送信させ、前記選定手段が選定していないリモコン端末識別情報によって識別される全てのリモコン端末へその全ての表示手段及び操作手段に電源電圧を切断するよう要求するための電源切断要求情報を前記カラオケ装置側送信手段を制御して送信させる電源供給可否要求情報送信手段と、
を備え、
前記複数のリモコン端末それぞれは、
前記カラオケ装置が送信する各種情報を受信するリモコン端末側受信手段と、
前記カラオケ装置に各種情報を送信するリモコン端末側送信手段と、
前記リモコン端末の装置内部に電源電圧を供給可能な電源部と、
前記電源部の出力電圧を計測する計測手段と、
前記リモコン端末識別情報及び前記計測手段によって計測された前記電源部の出力電圧の電圧値を示す出力電圧情報を関連付けて前記出力電圧関連情報として記憶するリモコン端末側記憶手段と、
前記計測手段によって計測された前記電源部の出力電圧の電圧値が所定電圧値以下であることを検出する検出手段と、
前記カラオケ装置を操作するための操作手段と、
各種情報を表示可能な表示手段と、
前記電源部から前記表示手段及び前記操作手段に電源電圧を供給するか、または切断するかのいずれか一方に切替る切替手段と、
前記リモコン端末側受信手段が前記カラオケ装置から前記出力電圧要求情報を受信した場合に、前記リモコン端末側記憶手段が記憶する前記出力電圧関連情報を前記リモコン端末側送信手段を制御して前記カラオケ装置に送信させる出力電圧要求情報返信手段と、
前記リモコン端末側受信手段が前記カラオケ装置から前記電源供給要求情報を受信した場合には、前記切替手段を制御して前記表示手段及び前記操作手段に電源電圧を供給させ、一方、前記リモコン端末側受信手段が前記カラオケ装置から前記電源切断要求情報を受信した場合には、前記切替手段を制御して前記表示手段及び前記操作手段に電源電圧を切断させる切替制御手段と、
前記検出手段が前記電源部の出力電圧の電圧値が所定電圧値以下であることを検出した場合には、前記リモコン端末側記憶手段が記憶する前記出力電圧関連情報から前記リモコン端末識別情報を読み出し、読み出した前記リモコン端末識別及び前記検出手段によって検出された電源部の出力電圧の電圧値が所定電圧値以下であることを示す出力電圧不足情報を関連付けて出力電圧不足関連情報として前記リモコン端末側送信手段を制御して前記カラオケ装置に送信させるリモコン側制御手段と、
を備え、
前記カラオケ装置は、さらに
前記第一のカラオケ装置側受信手段が前記選定手段によって選定されたリモコン端末識別情報によって識別されるリモコン端末から前記リモコン端末識別情報及び電源部の出力電圧の電圧値が所定電圧値以下であることを示す出力電圧不足情報を関連付けた出力電圧不足関連情報を受信した場合に、前記選定手段を制御して次のリモコン端末識別情報を選定させるカラオケ装置側制御手段と、
を備えることを特徴とするカラオケシステム。
【請求項２】
請求項１に記載のカラオケシステムにおいて、
前記選定手段は、
前記カラオケ装置側記憶手段が記憶する前記複数のリモコン端末それぞれの前記出力電圧関連情報から前記複数のリモコン端末それぞれの出力電圧情報が示す出力電圧の電圧値それぞれを比較し、その出力電圧の電圧値が最も大きい出力電圧情報に関連するリモコン端末識別情報から、その出力電圧の電圧値が最も小さい出力電圧情報に関連するリモコン端末識別情報まで順次選定することを特徴とするカラオケシステム。
【請求項３】
請求項１または請求項２に記載のカラオケシステムにおいて、
前記カラオケ装置は複数存在し、
前記カラオケシステムは、さらに前記複数のカラオケ装置を管理するための管理装置を備え、
前記管理装置は、
前記複数のカラオケ装置へ各種情報を送信するための管理装置側送信手段と、
カラオケ装置の利用時間を示す利用時間情報を受け付ける管理装置側受付手段と、
前記管理装置側受付手段が受け付けた前記利用時間情報と、カラオケ装置を識別するためのカラオケ装置識別情報及び利用可能を示す利用可能情報または利用不可能を示す利用不可能情報のいずれか一方を関連付けた利用可否情報を送信するよう要求するための利用可否要求情報と、を前記管理装置側送信手段を制御して前記複数のカラオケ装置へ送信させる利用可否要求情報送信手段と、
前記複数のカラオケ装置それぞれから送信された各種情報を受信可能な管理装置側受信手段と、
を備え、
前記複数のカラオケ装置それぞれは、さらに
前記カラオケ装置側記憶手段が記憶する前記出力電圧関連情報それぞれから前記出力電圧情報を抽出し、その抽出した前記出力電圧情報それぞれが示す出力電圧値に基づいて前記カラオケ装置の利用可能時間を算出する算出手段と、
前記管理装置から送信された各種情報を受信する第二のカラオケ装置側受信手段と、
前記管理装置に各種情報を送信する第二のカラオケ装置側送信手段と、
を備え、
前記カラオケ装置側記憶手段は、前記カラオケ装置識別情報を記憶し、
前記カラオケ装置側制御手段は、第二のカラオケ装置側受信手段が前記管理装置から前記利用時間情報と、前記利用可否情報とを受信した場合に、前記算出手段によって算出された利用可能時間と前記利用時間情報が示す利用時間とを比較し、前記算出された利用可能時間が前記利用時間より大きいか否かを判断し、前記算出された利用可能時間が前記利用時間と同一または大きいと判断した場合には、前記カラオケ装置側記憶手段が記憶する前記カラオケ装置識別情報及び前記利用可能情報と、前記利用可能時間情報として前記算出された利用可能時間を示す利用可能時間情報とを含めて前記第ニのカラオケ装置側送信手段を制御して前記管理装置に送信させ、一方、前記算出された利用可能時間が前記利用時間より小さいと判断した場合には、前記カラオケ装置側記憶手段が記憶する前記カラオケ装置識別情報及び前記利用不可能情報を前記第ニのカラオケ装置側送信手段を制御して前記管理装置に送信させ、
前記管理装置は、さらに
前記管理装置受信手段が前記複数の全てのカラオケ装置それぞれから前記利用可能情報または前記利用不可能情報のいずれか一方を受信した場合に、前記利用可能情報を受信したか否かを判断し、前記利用可能情報を受信したと判断した場合には、受信した全ての前記利用可能情報それぞれと含めて受信した前記利用可能時間情報それぞれが示す利用可能時間を比較し、最も小さい利用可能時間を示す一つの利用可能時間情報と含めて受信したカラオケ装置識別情報を選定するカラオケ装置選定手段と、
を備えることを特徴とするカラオケシステム。
【請求項４】
請求項３に記載のカラオケシステムにおいて、
前記管理装置は、さらに
前記管理装置へのログインが許可されるユーザである登録ユーザを、前記管理装置側受信手段が前記カラオケ装置から送信されたユーザに関する識別情報及びパスワード情報を含む認証要請情報を受信した場合に、前記認証要請情報によって認証し、その認証した前記登録ユーザに対して前記管理装置へのログインを許可する認証手段を備え、
前記管理装置側制御手段は、前記認証手段によって前記管理装置へのログインを許可された前記登録ユーザに関する識別情報を前記カラオケ装置へ前記管理側送信手段を制御して送信させ、
前記カラオケ装置の記憶制御手段は、前記第二のカラオケ装置側受信手段が前記管理装置から前記登録ユーザに関する識別情報を受信した場合に、受信した前記登録ユーザに関する識別情報を前記カラオケ装置側記憶手段を制御して記憶させ、
前記カラオケ装置は、さらに
前記選定手段が選定するリモコン端末識別情報によって識別されるリモコン端末へ前記カラオケ装置側記憶手段が記憶する前記登録ユーザに関する識別情報及び表示手段に前記登録ユーザに関する識別情報を表示するよう要求するための表示要求情報を前記第一のカラオケ装置側送信手段を制御して送信させ、前記選定手段が選定していないリモコン端末識別情報によって識別される全てのリモコン端末へその全ての表示手段に前記登録ユーザに関する識別情報を表示しないよう要求するための非表示要求情報を前記カラオケ装置側送信手段を制御して送信させる表示可否要求情報送信手段を備え、
前記リモコン端末それぞれは、さらに
ユーザに関する認証要請情報を受け付ける認証要請情報受付手段を備え、
前記リモコン端末側送信手段が、前記認証要請情報受付手段によって受け付けた前記認証要請情報を前記カラオケ装置へ送信し、
前記カラオケ装置側制御手段は、前記第一のカラオケ装置側受信手段が前記リモコン端末から送信された認証要請情報を受信した場合に、前記認証要請情報を前記管理装置へ前記第二のカラオケ装置側送信手段を制御して送信させ、
前記リモコン端末それぞれは、さらに
前記リモコン端末側受信手段が前記カラオケ装置から前記登録ユーザに関する識別情報及び前記表示要求情報を受信した場合には、前記表示手段を制御して前記登録ユーザに関する識別情報を表示させ、一方、前記リモコン端末側受信手段が前記非表示要求情報を受信した場合には、前記表示手段を制御して前記登録ユーザに関する識別情報を表示させない表示制御手段を備えることを特徴とするカラオケシステム。
【請求項５】
請求項３または請求項４に記載のカラオケシステムにおいて、
前記管理装置は、さらに
前記複数のカラオケ装置それぞれが設置されている部屋を識別するための部屋識別情報及び前記部屋に設置されているカラオケ装置のカラオケ装置識別情報を関連付けて記憶する管理装置記憶手段と、
各種情報を表示可能な管理装置側表示手段と、
前記カラオケ装置選定手段によって選定されたカラオケ装置識別情報に関連する部屋識別情報を前記管理装置側表示手段を制御して表示させる管理装置側表示制御手段と、
を備えることを特徴とするカラオケシステム。
【発明の詳細な説明】
【技術分野】
【０００１】
本発明は、複数のリモコン端末によってカラオケ装置を操作するカラオケシステムに関し、特に、リモコン端末が内蔵する２次電池の出力電圧レベルや充電量が少なくてもカラオケルームとしての利用時間の低下を防止する技術に関する。
【背景技術】
【０００２】
従来、リモコン端末によってカラオケ装置を操作するカラオケシステムとして、例えば、特許文献１に記載のようなカラオケシステムが知られている。特許文献１に記載のカラオケシステムは、カラオケ装置、リモコン端末、及びリモコン端末が内蔵する２次電池に充電するための専用架台などを備えている。また、リモコン端末は、カラオケ装置に赤外線通信によりユーザが所望する演奏予約情報を送信する。さらに、専用架台は、カラオケ装置に接続され、ユーザに関する識別情報を識別し、カラオケシステムへのユーザのログインを認証するための認証手段を有している。
【０００３】
また、ネットワークを介してサーバなどにアクセスできる通信装置として、例えば、特許文献２に記載のような通信装置が知られている。特許文献２に記載の通信装置は、内蔵する２次電池の出力電圧レベルや充電量を測定し、測定した出力電圧レベルに応じた送受信可能なデータ量を確認し、送受信するデータ量に対して電池容量が不足している場合には、接続できる状態にないと判定する。
【特許文献１】特開２００６−４７３９９号公報（第４頁、図１）
【特許文献２】特許２００１−２２４０６８号公報（第４頁、図３）
【発明の開示】
【発明が解決しようとする課題】
【０００４】
近年、カラオケシステムにおいては、例えばカラオケルーム（カラオケを行う部屋）に一台のカラオケ装置及びそのカラオケ装置をカラオケルーム内の離れた位置から操作してカラオケを行う際の利便性向上のために、複数台のリモコン端末が設置され、時間単位でカラオケルームを利用するサービスが普及している。一般的に、カラオケルームを利用する料金体系では、単位時間当たりの利用料に利用時間を乗算した料金が課金されることが多い。
【０００５】
ところで、例えばリモコン端末が、カラオケ装置と通信中にリモコン端末が内蔵する２次電池の出力電圧レベルや充電量が少なくなり、カラオケ演奏する予約曲の入力操作や予約曲の確認表示など、リモコン端末を使用したサービスが中断する。そこで、複数のリモコン端末それぞれが内蔵する２次電池の出力電圧レベルや充電量を測定し、測定した出力電圧レベルや充電量に応じてリモコン端末を利用できる時間を算出して、その算出したリモコン端末それぞれの利用できる時間のうち最も短い時間に、カラオケルームが利用可能な時間を合わせることで、リモコン端末を使用したサービスが中断しないようにカラオケルームを利用できるようにすることが考えられる。
【０００６】
しかし、上述のようなカラオケシステムにおいては、その利用できる時間が最も短いリモコン端末に合わせてカラオケルームの利用時間が設定されるため、カラオケルームとしての利用可能な時間も短くなるためカラオケを行うときの利便性が悪くなり、カラオケ店として料金収入も少なくなるおそれがある。
【０００７】
また、２次電池が満充電になるまでリモコン端末の使用を待てば、満充電になった以降には最大の利用可能時間を設定できるが、その間はカラオケルームを使用できないので、カラオケを行うときの利便性が悪くなる。この場合においても、使用できない間はカラオケ店としての料金収入が得られない。利用者にとっては、カラオケルームを使用できるか否かをカラオケ店に来店した以降に知ることになり、不満を感じる可能性が高くなる。そこで、リモコン端末の２次電池の使用を止めて商用電源で利用することも考えられるが、リモコン端末に電源ケーブルが接続されることになり、リモコン端末の操作性が損なわれるので、カラオケを行うときの利便性が悪くなる。このようにしても、利用者が不満を感じる可能性が高くなり、利用者の不満によって料金収入にも影響する可能性が高くなる。
【０００８】
本発明は、このような不具合に鑑みなされたものであり、その目的とするところは、複数のリモコン端末によってカラオケ装置を操作するカラオケシステムおいて、それぞれのリモコン端末が内蔵する２次電池の出力電圧レベルや充電量が少なくてもカラオケルームとしての利用時間の低下を防止する技術を提供し、カラオケルーム利用者に対してリモコン端末の利便性を維持することにある。
【課題を解決するための手段】
【０００９】
上述した問題点を解決するためになされた本発明のカラオケシステムは、リモコン端末の電源電圧の供給を、操作手段と表示手段とからなるユーザインタフェース部と、それ以外の本体部とに分け、複数のリモコン端末の全ての本体部に対しては最も消費電力が少なくなる状態を保つ状態になるように電源を供給しつつ、ユーザインタフェース部に対しては、複数のリモコン端末中の一つにだけ電源電圧を供給し、その一つのリモコン端末の２次電池の出力電圧値が所定電圧値以下、もしくは充電量が所定値以下になった場合には、リモコン端末自体の動作が停止する以前に、別のリモコン端末に切り替えることを特徴とする。
【００１０】
一般的に、カラオケ用のリモコン端末は、携帯型コンピュータ（ラップトップコンピュータ）と同様に、入力操作が行われないときは、表示手段の一部を構成するＬＣＤバックライトやプラズマディスプレイなど消費電力の多いデバイスの消灯を行うことでリモコンの２次電池の電源消費を抑制し、最も消費電力が少なくなる状態（静止状態）を保つように動作（パワーマネージメント）を行う。このような状態においては、２次電池の電力の消費度合いは減少する。しかし、利用者が曲入力操作を目的とせずに、例えば誤操作などによって１つのキーを押すなどの入力操作が行われた場合には、リモコン端末の制御手段が入力操作があったと判断してパワーマネージメントを解除させることにより、一定期間において通常の動作状態となる。この間は、ＬＣＤバックライトも点灯するため、リモコン端末を使用していないにも関わらず、２次電池は急速に電力を消費する。そのため、利用を開始した際には、リモコン端末の利用可能な期間が短くなり、充電中であれば、満充電に至る時間が長くなる。つまり、たとえ利用していないリモコンで端末あっても設置してあれば、例えば、酒に酔った利用者が無意識に触れることによって電力が消費される。そこで、カラオケ装置が、カラオケ装置によるカラオケサービス（例えば、カラオケ曲演奏）の進行に影響しない、カラオケルーム内のリモコン端末だけは、カラオケサービスに影響する直前まで静止状態を継続させ、カラオケサービスに影響するリモコン端末だけを利用者から操作可能とする。
【００１１】
前記操作可能なリモコン端末がカラオケサービスに影響するようになる直前に、利用者がその直前まで利用していたリモコン端末と違和感がない状態で、前記静止状態を解除する。すなわち、ユーザインタフェース部に電源を供給し、入力操作可能とし、カラオケサービスに影響する直前の表示状態でＬＣＤバックライトも点灯する。このようにカラオケルームの利用時間の低下を防止し、利用者に対してカラオケサービスの進行を維持することで不満を感じさせない効果を得ることを特徴としている。
【００１２】
具体的には、上述のカラオケシステムにおいては、まず、カラオケ装置の出力電圧要求情報送信手段が、複数のリモコン端末それぞれに出力電圧関連情報を送信するよう要求する出力電圧要求情報を第一のカラオケ装置側送信手段を制御して送信させる。また、カラオケ装置の選定手段が、第一のカラオケ装置側受信手段が複数のリモコン端末それぞれから出力電圧関連情報を受信したか否かを判断し、複数の全てのリモコン端末から出力電圧関連情報を受信したと判断した場合に、カラオケ装置側記憶手段が記憶する複数のリモコン端末それぞれの出力電圧関連情報から複数のリモコン端末それぞれのリモコン端末識別情報を順次選定する。カラオケ装置の電源供給可否要求情報送信手段が、選定手段が選定するリモコン端末識別情報によって識別されるリモコン端末へその表示手段及び操作手段に電源電圧を供給するよう要求するための電源供給要求情報を第一のカラオケ装置側送信手段を制御して送信させ、選定手段が選定していないリモコン端末識別情報によって識別される全てのリモコン端末へその全ての表示手段及び操作手段に電源電圧を切断するよう要求するための電源切断要求情報をカラオケ装置側送信手段を制御して送信させる。さらに、リモコン端末の切替制御手段が、リモコン端末側受信手段がカラオケ装置から電源供給要求情報を受信した場合には、切替手段を制御して表示手段及び操作手段に電源電圧を供給させ、一方、リモコン端末側受信手段がカラオケ装置から電源切断要求情報を受信した場合には、切替手段を制御して表示手段及び操作手段に電源電圧を切断させる。また、リモコン側制御手段が、検出手段が電源部の出力電圧の電圧値が所定電圧値以下であることを検出した場合には、リモコン端末側記憶手段が記憶する出力電圧関連情報からリモコン端末識別情報を読み出し、読み出したリモコン端末識別及び検出手段によって検出された電源部の出力電圧の電圧値が所定電圧値以下であることを示す出力電圧不足情報を関連付けて出力電圧不足関連情報としてリモコン端末側送信手段を制御してカラオケ装置に送信させる。また、カラオケ装置側制御手段が、第一のカラオケ装置側受信手段が選定手段によって選定されたリモコン端末識別情報によって識別されるリモコン端末からリモコン端末識別情報及び出力電圧不足関連情報を受信した場合に、選定手段を制御して次のリモコン端末識別情報を選定させる。
【００１３】
上記リモコン端末の検出手段が検出するのは、電源部の出力電圧の電圧値とは限らない。以下の公知技術によって、消費電流（特開平０５−３６３３参照）を検出してもよいし、予め測定した回路配線の内部抵抗とからオームの法則を用いて電圧に換算した結果や、充電量（特開平０５−１９１９３２参照）を検出して充電時間と利用時間との差し引きの演算結果などから出力電圧不足を検出してもよい。
【００１４】
このように構成された本発明のカラオケシステムによれば、選定手段が選定するリモコン端末の表示手段及び操作手段だけに電源電圧が供給され、選定手段が選定していない全てのリモコン端末の表示手段及び操作手段には電源電圧が切断される。また、選定手段が選定するリモコン端末の検出手段が電源部の出力電圧の電圧値が所定電圧値以下であることを検出した場合には、出力電圧不足関連情報がカラオケ装置に送信される。すると、選定手段が次のリモコン端末を選定する。したがって、複数のリモコン端末によってカラオケ装置を操作するカラオケシステムおいて、複数台のリモコン端末のうち選定されたリモコン端末の表示手段及び操作手段だけに電源電圧が供給されるので、カラオケルームとして利用できるとともに、残りのリモコン端末の表示手段及び操作手段には電源電圧が切断されるので、残りのリモコン端末の消費電力を低減できる。また、カラオケシステムがリモコン端末の電源部に充電するための専用架台などを備えている場合には、残りのリモコン端末の電源部に充電することができる。さらに、選定されたリモコン端末の電源部の出力電圧の電圧値が所定電圧値以下になると、次のリモコン端末が選定されるので、カラオケルームとしての利用時間の低下を防止できる。
【００１５】
また、リモコン端末は、その充電量の多いリモコン端末から順次電源をオンするとよい。具体的には、請求項２に記載のように、選定手段は、カラオケ装置側記憶手段が記憶する複数のリモコン端末それぞれの出力電圧関連情報から複数のリモコン端末それぞれの出力電圧情報が示す出力電圧の電圧値それぞれを比較し、その出力電圧の電圧値が最も大きい出力電圧情報に関連するリモコン端末識別情報から、その出力電圧の電圧値が最も小さい出力電圧情報に関連するリモコン端末識別情報まで順次選定するとよい。
【００１６】
このように構成されたカラオケシステムによれば、リモコン端末は、その出力電圧の電圧値が最も大きい出力電圧情報に関連するリモコン端末識別情報から、その出力電圧の電圧値が最も小さい出力電圧情報に関連するリモコン端末識別情報まで順次選定される。つまり、充電量の多い（電圧制御であれば端子電圧が最も高い）リモコン端末から順次電源をオンすることで、利用者によるリモコン端末の利便性を低下させない効果が得られる。例えば、利用予定時間が７０分であり、リモコン端末Ａの利用可能時間が６０分、リモコン端末Ｂが３０分、リモコン端末Ｃが１５分であったとき、充電量が最も多いリモコン端末Ａから利用可能にすれば、橋渡しする回数は１回で済む。ところが、順序を考慮せず、例えばＢ，Ｃ，Ａの順で橋渡しを行えば、橋渡し回数が２回となり、利用者の利便性は順序を考慮しない場合よりも低くなってしまう。つまり、利用可能なリモコン端末を取り替える回数（橋渡し回数）が少なければ、利便性を低下させない効果が得られる。
【００１７】
ところで、一般的に、カラオケ店内には複数のカラオケルームが設けられ、例えばカラオケルームそれぞれに一台のカラオケ装置及びそのカラオケ装置を操作するための複数台のリモコン端末が設置され、複数のカラオルームに設置された複数のカラオケ装置を管理するための管理装置がカラオケ店の受付に設置されている。そして、このようなカラオケ店においてカラオケサービスを利用しようとするユーザは、例えばカラオケルームを管理するカラオケ店の受付けでカラオケルームを利用するための申請をする。すると、カラオケ店の店員が例えばカラオケ店内に設けられた複数のカラオルームから、カラオケ装置及び複数台のリモコン端末が利用できる状態であるカラオケルームを選定して、その選定したカラオケルームへユーザを案内する。そこで、店員がカラオケ装置及び複数台のリモコン端末が利用できる状態であるカラオケルームを選定する際に、カラオケルームに設置されたカラオケ装置から、カラオケ装置及び複数台のリモコン端末が利用できる状態であるか否かを管理装置へ知らせるとよい。
【００１８】
具体的には、請求項３に記載のように、管理装置の利用可否要求情報送信手段が、管理装置側受付手段が受け付けた前記利用時間情報と、カラオケ装置を識別するためのカラオケ装置識別情報及び利用可能を示す利用可能情報または利用不可能を示す利用不可能情報のいずれか一方を関連付けた利用可否情報を送信するよう要求するための利用可否要求情報と、を前記管理装置側送信手段を制御して前記複数のカラオケ装置へ送信させる。また、カラオケ装置の算出手段が、カラオケ装置側記憶手段が記憶する出力電圧関連情報それぞれから出力電圧情報を抽出し、その抽出した出力電圧情報それぞれが示す出力電圧値に基づいてカラオケ装置の利用可能時間を算出する。さらに、カラオケ装置側制御手段は、第二のカラオケ装置側受信手段が管理装置から利用時間情報と、利用可否情報とを受信した場合に、算出手段によって算出された利用可能時間と利用時間情報が示す利用時間とを比較し、算出された利用可能時間が利用時間より大きいか否かを判断し、算出された利用可能時間が利用時間と同一または大きいと判断した場合には、カラオケ装置側記憶手段が記憶するカラオケ装置識別情報及び利用可能情報と、利用可能時間情報として算出された利用可能時間を示す利用可能時間情報とを含めて第ニのカラオケ装置側送信手段を制御して管理装置に送信させ、一方、算出された利用可能時間が利用時間より小さいと判断した場合には、カラオケ装置側記憶手段が記憶するカラオケ装置識別情報及び利用不可能情報を第ニのカラオケ装置側送信手段を制御して管理装置に送信させる。また、管理装置のカラオケ装置選定手段が、管理装置受信手段が複数の全てのカラオケ装置それぞれから利用可能情報または利用不可能情報のいずれか一方を受信した場合に、利用可能情報を受信したか否かを判断し、利用可能情報を受信したと判断した場合には、受信した全ての利用可能情報それぞれと含めて受信した利用可能時間情報それぞれが示す利用可能時間を比較し、最も小さい利用可能時間を示す一つの利用可能時間情報と含めて受信したカラオケ装置識別情報を選定する。
【００１９】
このように構成されたカラオケシステムによれば、カラオケ装置は、複数のリモコン端末の電源部それぞれの出力電圧値に基づいて利用可能時間を算出して、その算出した利用可能時間が、管理装置から送信されたユーザが要求する利用時間と同一または大きければ利用可能情報と、利用可能時間情報を管理装置に送信する。一方、その算出した利用可能時間が、管理装置から送信されたユーザが要求する利用時間より小さければ利用不可情報を管理装置に送信する。また、管理装置は、受信した利用可能時間情報それぞれが示す利用可能時間を比較し、最も小さい利用可能時間を有するカラオケ装置を選定する。つまり、ユーザが要求する利用時間よりは大きいが、ユーザが要求する利用時間に最も近い利用可能時間を有するカラオケ装置を選定する。一例を挙げると、ユーザが要求する利用時間が例えば１時間であり、その１時間を超える利用可能時間を有するカラオケ装置が例えば２台あり、それぞれのカラオケ装置が有する利用可能時間が例えば１．５時間、２．２時間時間とした場合には、１．５時間の利用可能時間を有するカラオケ装置を選定するといった具合である。すなわち、次のユーザが要求する利用時間が例えば２時間であった場合には、２．２時間の利用可能時間を有するカラオケ装置の利用が可能となる。なお、先のユーザに例えば２．２時間の利用可能時間を有するカラオケ装置を選定した場合には、次のユーザには、カラオケ装置の利用ができなくなる。よって、ユーザが要求する利用時間に最も近い利用可能時間を有するカラオケ装置を選定することによって、次のユーザに対応できるカラオケ装置の台数を増やすことができるのである。
【００２０】
したがって、リモコン端末の利用可能時間が、ユーザがカラオケルームを利用しようとする利用時間と同一または大きければ、カラオケ装置及び複数台のリモコン端末が利用できる状態であるとして、カラオケ装置それぞれから管理装置へ知らせることができる。また、算出したリモコン端末の利用可能時間が、ユーザがカラオケルームを利用しようとする利用時間より小さければ、カラオケ装置及び複数台のリモコン端末が利用できる状態でないとして、カラオケ装置それぞれから管理装置へ知らせることができる。また、ユーザが要求する利用時間より大きい用可能時間を有するカラオケ装置が複数存在する場合には、ユーザが要求する利用時間に最も近い利用可能時間を有するカラオケ装置が選定されるので、次のユーザに対応できるカラオケ装置の台数を増やすことができる。
【００２１】
また、ユーザを認証し、管理装置へのログインを許可するカラオケシステムにおいて、選定されたリモコン端末の出力電圧値が所定電圧値以下になり、次のリモコン端末が選定される際に、ログインされている登録ユーザに関する識別情報も併せて、その選定されるリモコン端末に移し替えるとよい。
【００２２】
具体的には、請求項４に記載のように、管理装置の認証手段が、管理装置へのログインが許可されるユーザである登録ユーザを、管理装置側受信手段がカラオケ装置から送信されたユーザに関する識別情報及びパスワード情報を含む認証要請情報を受信した場合に、認証要請情報によって認証し、その認証した登録ユーザに対して管理装置へのログインを許可する。また、カラオケ装置の表示可否要求情報送信手段が、選定手段が選定するリモコン端末識別情報によって識別されるリモコン端末へカラオケ装置側記憶手段が記憶する登録ユーザに関する識別情報及び表示手段に登録ユーザに関する識別情報を表示するよう要求するための表示要求情報を第一のカラオケ装置側送信手段を制御して送信させ、選定手段が選定していないリモコン端末識別情報によって識別される全てのリモコン端末へその全ての表示手段に登録ユーザに関する識別情報を表示しないよう要求するための非表示要求情報をカラオケ装置側送信手段を制御して送信させる。さらに、リモコン端末の表示制御手段が、リモコン端末側受信手段がカラオケ装置から登録ユーザに関する識別情報及び表示要求情報を受信した場合には、表示手段を制御して登録ユーザに関する識別情報を表示させ、一方、リモコン端末側受信手段が非表示要求情報を受信した場合には、表示手段を制御して登録ユーザに関する識別情報を表示させない。
【００２３】
このように構成されたカラオケシステムによれば、選定手段が選定するリモコン端末の表示制御手段が、表示手段を制御して登録ユーザに関する識別情報を表示させ、選定手段が選定していないリ全てのリモコン端末の表示制御手段が、表示手段を制御して登録ユーザに関する識別情報を表示させない。したがって、ユーザを認証し、管理装置へのログインを許可するカラオケシステムにおいて、選定されたリモコン端末の出力電圧値が所定電圧値以下になり、次のリモコン端末が選定される際に、ログインされている登録ユーザに関する識別情報も併せて、その選定されるリモコン端末に移し替えることができる。また、次のリモコン端末が選定される際に、ログインされている登録ユーザに関する識別情報も併せて、その選定されるリモコン端末に自動的に移し替えられるので、ユーザにとっては、ログアウト操作する手間やログイン操作する手間が掛からない。
【００２４】
また、管理装置側においてカラオケ装置選定手段によって選定されたカラオケ装置が設置されている部屋の識別情報が表示されるとよい。具体的には、請求項５に記載のように、管理装置は、さらに複数のカラオケ装置それぞれが設置されている部屋を識別するための部屋識別情報及び前記部屋に設置されているカラオケ装置のカラオケ装置識別情報を関連付けて記憶する管理装置記憶手段と各種情報を表示可能な管理装置側表示手段と、カラオケ装置選定手段によって選定されたカラオケ装置識別情報に関連する部屋識別情報を管理装置側表示手段を制御して表示させる管理装置側表示制御手段とを備えるとよい。
【００２５】
このように構成されたカラオケシステムによれば、利用者の利用予定時間よりも、リモコン端末の利用可能時間の合計が大きく、かつ、最も近い時間の部屋を管理装置の表示手段に表示させられるので、管理者がカラオケルーム利用者に対し、カラオケを行うときの利便性が悪くならない部屋を提供できる効果が得られるので、以下に説明するカラオケ店の料金収入も損なわせない可能性もある。例えば、カラオケ店において、ある時点での部屋Ｄの利用可能時間は２時間、部屋Ｅは３０分、部屋Ｆは１５分、利用料金は１０円／１分だった場合に、利用予定時間が２０分の利用者Ｇが来店したとき、上記アルゴリズムに基づいて部屋が選択表示されれば、利用者Ｇは部屋Ｅに案内される。その直後に、利用予定時間１時間の利用者Ｈが来店しても、部屋Ｄに案内可能であるから、利用者Ｇ、及び利用者Ｈとも、カラオケルームが利用できるから、利用者ごとにカラオケを行うときの利便性が維持された効果が得られる。利用者Ｇ、及び利用者Ｈから得られる利用料金を１時間後に計算すると、それぞれ２００円、６００円、合計８００円となる。ところが、上記アルゴリズムを用いずに利用者Ｇを部屋Ｄへ案内すると、その直後に来店した利用者Ｈは同店においてカラオケサービスを利用することはできないので、利用者Ｇのカラオケを行う利便性が損なわれ、利用者Ｇは他店へ移動してしまう可能性が高い。よって、利用者Ｇの利用時間は２０分であるから、カラオケ店が１時間後に得られる料金収入は、２００円にしかならない可能性が高くなる。つまり、利用者の利用予定時間よりも、リモコン端末の利用可能時間の合計が大きく、かつ、最も近い時間の部屋を管理装置の表示手段に表示させられるようにすれば、利用者の利用予定時間と部屋の利用可能時間とが対応付けられるので、無駄の少ない部屋利用が可能となり、利用者毎にカラオケを行う利便性が維持される効果が得られ、カラオケ店の料金収入も損なわれない可能性がある。
【発明を実施するための最良の形態】
【００２６】
以下、本発明の実施形態を図面に基づいて説明する。
［カラオケシステム１の構成の説明］
図１は、カラオケシステム１の全体構成を示すブロック図である。
【００２７】
カラオケシステム１は、図１に示すように、カラオケを利用するユーザから指定された楽曲のカラオケ演奏を行う複数のカラオケ装置４と、複数のカラオケ装置４を管理するための管理装置２と、一つのカラオケ装置４を操作するための複数のリモコン端末５と、リモコン端末が内蔵する２次電池に充電するためのクレードル６と、複数のカラオケ装置４と管理装置２とを結ぶ通信のためのＬＡＮ１００とを備える。以下、管理装置２、カラオケ装置４、リモコン端末５、クレードル６の順に説明する。
【００２８】
［管理装置２の構成の説明］
管理装置２には、管理装置２全体を制御するための制御部２ａが備えられている。制御部２ａは、インタフェース部２ｃを介してＬＡＮ１００に接続されており、インタフェース部２ｃを介して複数のカラオケ装置４と通信することができる。また、制御部２ａには、記憶手段としてのハードディスク（ＨＤＤ）２ｂ、表示部２ｆでの表示を制御する映像制御部２ｅ、複数のキースイッチからなり、及び曲の予約操作等を行うための操作部２ｇからの信号を処理する操作処理部２ｈが接続されている。なお、制御部２ａは、後述する各種処理を実行する。
【００２９】
このうち、ＨＤＤ２ｂには、図３（ａ）に例示するように、利用可能時間関連データを記憶する利用可能時間関連データメモリ領域８１、部屋番号関連データを記憶する部屋番号関連データメモリ領域８２、管理装置２を識別するための管理装置番号データを記憶する管理装置番号データメモリ領域８３、管理装置２が管理するカラオケ装置４のカラオケ装置番号データを記憶するカラオケ装置番号データメモリ領域８４、及び利用者データを記憶する利用者データメモリ領域８５が設けられている。以下、利用可能時間関連データ、部屋番号関連データ、カラオケ装置データ番号、利用者データの順に説明する。
【００３０】
（イ）利用可能時間関連データとは、管理装置２が管理する複数のカラオケ装置４のカラオケ装置番号及びカラオケ装置４の利用可能時間を関連付けたデータである。この利用可能時間関連データは、図３（ｂ）に示すように、カラオケ装置４のカラオケ装置番号（１〜ｎ）の数値「１〜ｎ」、及び利用可能時間（Ａ１〜Ａｎ）が関連付けられて利用可能時間関連データメモリ領域８１に記憶されている。一例を挙げると、カラオケ装置４のカラオケ装置番号（１）の数値「１」、及び利用可能時間（Ａ１）が関連付けられて利用可能時間関連データメモリ領域８１（１）に記憶されている。
【００３１】
（ロ）部屋番号関連データとは、カラオケ装置４が設置されている部屋を識別するための部屋番号及びカラオケ装置４のカラオケ装置番号を関連付けたデータである。この部屋番号関連データは、図３（ｃ）に示すように、カラオケ装置４のカラオケ装置番号（１〜ｎ）の数値「１〜ｎ」、及び部屋番号（Ｂ１〜Ｂｎ）が関連付けられて部屋番号関連データメモリ領域８２に記憶されている。一例を挙げると、カラオケ装置４のカラオケ装置番号（１）の数値「１」、及び部屋番号（Ｂ１）が関連付けられて部屋番号関連データメモリ領域８２（１）に記憶されている。
【００３２】
（ハ）カラオケ装置番号データとは、管理装置２が管理するカラオケ装置４のカラオケ装置番号を示すデータである。このカラオケ装置番号データは、図３（ｄ）に示すように、カラオケ装置４のカラオケ装置番号（１〜ｎ）の数値「１〜ｎ」がカラオケ装置番号データメモリ領域８４に記憶されている。一例を挙げると、カラオケ装置番号（１）に対応するカラオケ装置番号データは、カラオケ装置番号（１）の数値「１」がカラオケ装置番号データメモリ領域８４（１）へ記憶されている。
【００３３】
（ニ）利用者データとは、カラオケサービスを利用するユーザを識別するためのユーザＩＤ及びユーザが管理装置２へのログインを許可されるためのパスワードを関連付けたデータである。この利用者データは、図３（ｅ）に示すように、ユーザＩＤの番号（１〜ｎ）の数値「１〜ｎ」、及びパスワード（Ｃ１〜Ｃｎ）が関連付けられて利用者データメモリ領域８５に記憶されている。一例を挙げると、ユーザＩＤの番号（１）の数値「１」、及びパスワード（Ｃ１）が関連付けられて利用者データメモリ領域８５（１）に記憶されている。
【００３４】
なお、制御部２ａが「利用可否要求情報送信手段」及び「カラオケ装置選定手段」に相当し、操作部２ｇ及び操作処理部２ｈが「管理装置側受付手段」に相当し、表示部２ｆが「管理装置側表示手段」に相当する。また、映像制御部２ｅが「管理装置側表示制御手段」に相当し、ＨＤＤ２ｂが「管理装置側記憶手段」に相当し、インタフェース部２ｃが「管理装置側受信手段」及び「管理装置側送信手段」に相当する。
【００３５】
［カラオケ装置４の構成の説明］
カラオケ装置４は、図１に示すように、カラオケ装置４全体の作動を制御する制御部１２、カラオケ装置４をＬＡＮ１００に接続するためのインタフェース部１４、演奏楽曲の伴奏内容及び歌詞を示す楽曲データや映像データ等のコンテンツデータ、カラオケ装置４が作動するためのプログラム等を記憶するハードディスク（ＨＤＤ）１６、複数のキースイッチからなり、曲の予約操作等を行うための操作部１８、リモコン端末５と赤外線信号で通信を行う双方向の赤外線通信規格（ＩｒＤＡＣｏｎｔｒｏｌ（登録商標））、又はリモコン端末５とカラオケ装置４との二者間において予め設定された無線通信条件（例えば、無線ＬＡＮなど）に従って通信するための無線通信部２０、操作部１８からの信号を処理する操作処理部２２、マイクロフォン２６、ＨＤＤ１６に記憶された演奏データ（ＭＩＤＩデータ）に基づく演奏再生を行うＭＩＤＩ音源３０、ＭＩＤＩ音源３０から出力されたデジタル信号から演奏楽曲のオーディオ信号（音響、音声に関する信号）を生成し、生成されたオーディオ信号及びマイクロフォン２６から入力されたオーディオ信号を増幅してスピーカ２８へ出力する音声制御部２４、画像データを一時的に記憶するビデオＲＡＭ３２、ビデオＲＡＭ３２に記憶された画像データに基づく映像の再生を制御する映像再生部３４、映像再生部３４により再生される映像のモニタ３６での表示を制御する映像制御部３８などを備えている。なお、制御部１２は、後述する各種処理を実行する。
【００３６】
このうち、ＨＤＤ１６には、図４（ａ）に例示するように、楽曲データを記憶する楽曲データメモリ領域４１、検出電圧関連データを記憶する検出電圧関連データメモリ領域４２、利用可能時間換算表データを記憶する利用可能時間換算表データメモリ領域４３、カラオケ装置番号データを記憶するカラオケ装置番号データメモリ領域４４、管理装置番号データを記憶する管理装置番号データメモリ領域４５、及びリモコン端末番号データを記憶するリモコン端末番号データメモリ領域４６が設けられている。以下、検出電圧関連データ、利用可能時間換算表データ、リモコン端末番号データについて順に説明する。
【００３７】
（ホ）検出電圧関連データとは、リモコン端末５を識別するためのリモコン端末番号、リモコン端末５の充電状態を示す充電状態フラグ、リモコン端末５の利用可能時間、及びリモコン端末５の利用可能時間が大きい方から小さい方へ順位付けられた順番を示す順番ｍを関連付けたデータである。この検出電圧関連データは、図４（ｂ）に示すように、リモコン端末５のリモコン端末番号（１〜ｎ）の数値「１〜ｎ」、充電状態フラグ（Ｅ１〜Ｅｎ）、利用可能時間（Ｆ１〜Ｆｎ）、及び順番ｍ（Ｍ１〜Ｍｎ）が関連付けられて検出電圧関連データメモリ領域４２へ記憶されている。一例を挙げると、リモコン端末５のリモコン端末番号（１）の数値「１」、充電状態フラグ（Ｅ１）、利用可能時間（Ｆ１）、及び順番ｍ（Ｍ１）が関連付けられて検出電圧関連データメモリ領域４２（１）へ記憶されている。
【００３８】
（ヘ）利用可能時間換算表データとは、充電状態フラグが示す識別子に応じて利用可能時間を換算するための換算表を示すデータである。この利用可能時間換算表データは、図４（ｃ）に示すように、充電状態フラグが示す識別子の番号（０〜ｎ）の数値「０〜ｎ」及び利用可能時間（Ｈ１〜Ｈｎ）が関連付けられて利用可能時間換算表データメモリ領域４３に記憶されている。一例を挙げると、充電状態フラグが示す識別子の番号（０）の数値「０」及び利用可能時間（Ｈ１）が関連付けられて利用可能時間換算表データメモリ領域４３（１）に記憶されている。
【００３９】
（ト）リモコン端末番号データとは、管理装置２が管理するリモコン端末５のリモコン端末番号を示すデータである。このリモコン端末番号データは、図３（ｄ）に示すように、リモコン端末５のリモコン端末番号（１〜ｎ）の数値「１〜ｎ」がリモコン端末番号データメモリ領域４６に記憶されている。一例を挙げると、リモコン端末番号（１）に対応するリモコン端末番号データは、リモコン端末番号（１）の数値「１」がリモコン端末番号データメモリ領域４６（１）へ記憶されている。
【００４０】
なお、ＨＤＤ１６が「カラオケ装置側記憶手段」に相当し、制御部１２が「出力電圧要求手段」、「記憶制御手段」、「選定手段」、「電源供給可否要求情報送信手段」、「カラオケ装置側制御手段」、「算出手段」、及び「表示可否要求情報送信手段」に相当する。さらに、インタフェース部１４が「第二のカラオケ装置側受信手段」、及び「第二のカラオケ装置側送信手段」に相当し、無線通信部２０が「第一のカラオケ装置側送信手段」、及び「第一のカラオケ装置側受信手段」に相当する。
【００４１】
［リモコン端末５の構成の説明］
リモコン端末５は、図１に示すように、リモコン端末５全体の作動を制御する制御部５２、双方向の赤外線通信規格（ＩｒＤＡＣｏｎｔｒｏｌ）又はリモコン端末５とカラオケ装置４との二者間において予め設定された無線通信条件（例えば、無線ＬＡＮなど）に従ってカラオケ装置４に無線信号で通信する無線通信部５４、リモコン端末５が作動するためのプログラム等の各種情報を記憶するメモリ５６、表示部５８の表示領域に沿って設置されるタッチパネル及び複数のキースイッチからなり、利用者からの操作を受け付ける操作部６０、操作部６０からの信号を処理する操作処理部６２、画像データを一時的に記憶するビデオＲＡＭ６４、ビデオＲＡＭ６４に記憶された画像データの表示部５８での表示を制御する映像制御部６６、リモコン端末５に電源先圧を供給するための充電池７０、充電池７０の充電状態を検出するための検出部６９、リモコン端末５がクレードル６に設置された際にリモコン端末がクレードル６を介してＬＡＮ１００に接続するためのＵＳＢ制御部６８などを備えている。なお、制御部５２は、後述する各種処理を実行する。
【００４２】
このうち、メモリ５６には、図５（ａ）に例示するように、充電中検出電圧関連データを記憶する充電中検出電圧関連データメモリ領域７１、放電中検出電圧関連データを記憶する放電中検出電圧関連データメモリ領域７２、リモコン端末番号データを記憶するリモコン端末番号データメモリ領域７３、カラオケ装置番号データを記憶するカラオケ装置番号データメモリ領域７４、管理装置番号データを記憶する管理装置番号データメモリ領域７５、ログインデータを記憶するログインデータメモリ領域７６、及び予約データを記憶する予約データメモリ領域７７が設けられている。以下、充電中検出電圧関連データ、放電中検出電圧関連データ、ログインデータ、予約データについて順に説明する。
【００４３】
（チ）充電中検出電圧関連データ
充電中検出電圧関連データとは、検出部６９が検出した充電池７０の充電電流値、端子電圧値、及び制御部５２が決定した充電状態フラグを関連付けたデータである。この充電中検出電圧関連データは、図５（ｂ）に示すように、リモコン端末５のリモコン端末番号（１〜ｎ）の数値「１〜ｎ」、充電電流値（Ｊ１〜Ｊｎ）、端子電圧値（Ｋ１〜Ｋｎ）、及び充電状態フラグ（Ｌ１〜Ｌｎ）が関連付けられて充電中検出電圧関連データメモリ領域７１へ記憶されている。一例を挙げると、リモコン端末５のリモコン端末番号（１）の数値「１」、充電電流値（Ｊ１）、端子電圧値（Ｋ１）、及び充電状態フラグ（Ｌ１）が関連付けられて充電中検出電圧関連データメモリ領域７１（１）へ記憶されている。
【００４４】
（リ）放電中検出電圧関連データ
放電中検出電圧関連データとは、検出部６９が検出した充電池７０の充電電流値、端子電圧値、及び制御部５２が決定した放電状態フラグを関連付けたデータである。この放電中検出電圧関連データは、図５（ｃ）に示すように、リモコン端末５のリモコン端末番号（１〜ｎ）の数値「１〜ｎ」、充電電流値（Ｐ１〜Ｐｎ）、端子電圧値（Ｑ１〜Ｑｎ）、及び放電状態フラグ（Ｒ１〜Ｒｎ）が関連付けられて放電中検出電圧関連データメモリ領域７２へ記憶されている。一例を挙げると、リモコン端末５のリモコン端末番号（１）の数値「１」、充電電流値（Ｐ１）、端子電圧値（Ｑ１）、及び放電状態フラグ（Ｒ１）が関連付けられて放電中検出電圧関連データメモリ領域７２（１）へ記憶されている。
【００４５】
（ヌ）ログインデータ
ログインデータとは、管理装置２へのログインを許可された登録ユーザのユーザＩＤデータである。このログインデータは、図５（ｄ）に示すように、ユーザＩＤの番号（１〜ｎ）の数値「１〜ｎ」がログインデータメモリ領域７６に記憶されている。一例を挙げると、ユーザＩＤの番号（１）に対応するログインデータは、ユーザＩＤの番号（１）の数値「１」がログインデータメモリ領域７６（１）へ記憶されている。
【００４６】
（ル）予約データ
予約データとは、カラオケ演奏するためにユーザによって予約された予約順位及び予約された曲番号を関連付けたデータである。この予約データは、図５（ｅ）に示すように、予約番号（１〜ｎ）の数値「１〜ｎ」、及び曲番号（Ｔ１〜Ｔｎ）が関連付けられて予約データメモリ領域７７に記憶されている。一例を挙げると、予約番号（１）の数値「１」、及び曲番号（Ｔ１）が関連付けられて予約データメモリ領域７７（１）に記憶されている。
【００４７】
次に、充電池７０の出力電圧を検出する構成と、操作部６０及び表示部５８に電源電圧を供給する構成について説明する。図２は、充電池７０の出力電圧を検出する構成と、操作部６０及び表示部５８に電源電圧を供給する構成を示すブロック図である。
【００４８】
まず、充電池７０の出力電圧を検出する構成は、図２に示すように、充電池７０、検出部６９、制御部５２を有する。また、制御部５２が、Ａ／Ｄ変換部５２ａ及び充電量計測部５２ｂを備えている。検出部６９が充電池７０の充電電流値、及び端子電圧値をアナログ形式の信号として検出し、制御部１２へ出力する。そのアナログ形式の充電電流値、及び端子電圧値の信号を制御部５２のＡ／Ｄ変換部５２ａがデジタル形式の充電電流値、及び端子電圧値の信号に変換し、充電量計測部５２ｂへ出力する。充電量計測部５２ｂは、デジタル形式の充電電流値、及び端子電圧値の信号に基づいて充電状態フラグ及び放電状態フラグを出力する。例えば、リモコン端末５がクレードル６に設置され、クレードル６の電源部から充電池７０に充電されている際に、充電量計測部５２ｂが、端子電圧値の信号が４Ｖを示している場合は充電状態フラグとして数値「０」と決定し、端子電圧値の信号が４．４Ｖを示している場合は充電状態フラグとして数値「１」と決定し、端子電圧値の信号が４．６Ｖを示している場合は充電状態フラグとして数値「２」と決定し、端子電圧値の信号が４．８Ｖを示している場合は充電状態フラグとして数値「３」と決定し、端子電圧値の信号が４．８Ｖ以上を示している場合は充電状態フラグとして数値「４」と決定する。つまり、充電状態フラグの数値が大きい方が、数値が小さい方より、充電量が大きいことを示している。一方、例えばリモコン端末５がクレードル６から取り外され、クレードル６の電源部から充電池７０に充電されていない際に、充電量計測部５２ｂが、端子電圧値の信号が４．２Ｖ〜４．８Ｖを示して場合は放電状態フラグとして数値「１」と決定し、端子電圧値が４．２Ｖ以下の場合は放電状態フラグとして数値「０」と決定する。つまり、放電状態フラグの数値が大きい方が、数値が小さい方より、充電量が大きいことを示している。また、制御部５２は、リモコン端末５がクレードル６に設置され、クレードル６の電源部から充電池７０に充電されている際に、充電電流を検出可能に構成されている。
【００４９】
次に、操作部６０及び表示部５８に電源電圧を供給する構成は、図２に示すように、制御部５２、操作部６０、表示部５８を有する。また、制御部５２が、操作部６０及び表示部５８に二次電源を供給するか、もしくは切断する構成（図示せず）を有している。つまり、制御部５２は、操作部６０及び表示部５８に二次電源を供給するか、もしくは切断するかを制御できる。
【００５０】
なお、操作部６０及び操作処理部６２が「操作手段」、及び「認証要請情報受付手段」に相当し、表示部５８が「表示手段」に相当し、映像制御部６６が「表示制御手段」に相当する。また、制御部５２が「計測手段」、「検出手段」、「切替手段」、「切替制御手段」、及び「リモコン側制御手段」に相当し、無線通信部５４が「リモコン端末側受信手段」、及び「リモコン端末側送信手段」に相当し、充電池７０が「電源部」に相当する。
【００５１】
［クレードル６の構成の説明］
クレードル６は、図２に示すように、リモコン端末５がクレードル６に設置された際に、リモコン端末５の充電池７０に充電するための電源６ａ、及びリモコン端末５のＵＳＢ制御部６８に接続するためのＵＳＢ−ＬＡＮ変換部６ｂなどを備えている。また、このＵＳＢ−ＬＡＮ変換部６ｂはＬＡＮ１００に接続されている。そのため、クレードル６にリモコン端末５が設置されると、リモコン端末５がＬＡＮ１００を介してカラオケ装置４と接続される。このことにより、カラオケ装置４は、リモコン端末５がクレードル６に設置されたことを検出可能となる。
【００５２】
［カラオケシステム１の全体処理の概要説明］
以下に、カラオケシステム１の全体処理の概要を図１１のシグナルフロー図に基づいて説明する。図１１においては、１台の管理装置２、１台のカラオケ装置４、及び３台のリモコン端末５を備えるカラオケシステム１を例示している。このうち３台のリモコン端末５をリモコンＡ，リモコンＢ、リモコンＣとも称する。本処理は、管理装置２、カラオケ装置４、及び３台のリモコン端末５が起動されている場合に実行される。図１１は、カラオケシステム１の全体処理の概要を示すシグナルフロー図である。
【００５３】
なお、図１１においては、管理装置２とカラオケ装置４との間の矢印（実線）は、インタフェース部２ｃと、ＬＡＮ１００と、インタフェース部１４とを介した通信を示す。また、リモコン端末５とカラオケ装置４との間の矢印（実線）は、それぞれの無線通信部２０，５４を介した無線通信、もしくはリモコン端末５がクレードル６に接続されている場合には、ＵＳＢ制御部６８と、ＵＳＢ−ＬＡＮ変換部６ｂと、ＬＡＮ１００、インタフェース部１４とを介した通信を示す。また、通信時にお互いを特定する情報（例えば、ＬＡＮや無線ＬＡＮであればＩＰアドレス、赤外線通信であれば、識別IＤなど）は、予め、各装置の記憶手段（ＨＤＤ１６、ＨＤＤ２ｂ、メモリ５６）に記憶されており、各装置の制御手段（制御部１２、制御部２ａ、制御部５２）が通信相手に応じて前記特定する情報を読み出すことで通信相手を特定できる。さらに、装置間を接続しない矢印（実線）は、各装置内部での情報処理を示し、矢印（破線）は人を介した処理を示す。なお、カラオケサービス利用時の人を介した処理（ログイン指示、ログアウト指示、曲リクエスト指示など）については、図示していない。また、リモコンＣは、充電池７０が完全放電状態で通信不能の状態を示す。リモコンＣは通信不能の状態のため利用不能であり、カラオケ装置４はリモコンＣを選定しない。よって、以下の説明においては、リモコンＣを除いて説明する。
【００５４】
まず、２台のリモコンＡ及びリモコンＢそれぞれは、上述した［リモコン端末５の構成の説明］欄で説明したように検出部６９が検出した充電池７０の充電電流値及び端子電圧値に基づいて決定した充電状態フラグを示すデータを、矢印（１）及び矢印（１’）に示すように、カラオケ装置４へ送信する。本処理については、後述する［リモコン端末５の電圧検出処理の説明］欄において説明する。
【００５５】
リモコンＡ及びリモコンＢそれぞれの充電状態フラグを示すデータを受信したカラオケ装置４は、リモコンＡ及びリモコンＢそれぞれにおける充電状態フラグから利用可能時間を抽出し、抽出した利用可能時間が大きい順にリモコンＡ及びリモコンＢそれぞれに対して順番ｍを付与する。本処理については、後述する［カラオケ装置４の電圧検出処理の説明］欄において説明する。
【００５６】
次に、管理装置２において利用予定時間Ｔ２が入力された場合に、管理装置２は、矢印（２）に示すように、利用予定時間Ｔ２及び利用可否要求を示すデータを管理装置２が管理する全てのカラオケ装置４へ送信する。なお、図１１においては、管理装置２が管理する全てのカラオケ装置４のうちの１台だけを示している。本処理については、後述する［管理装置２の選定処理の説明］欄において説明する。
【００５７】
利用予定時間Ｔ２及び利用可否要求を示すデータを受信したカラオケ装置４は、リモコンＡ及びリモコンＢそれぞれにおける利用可能時間を加算した利用可能時間Ｔ１が利用予定時間Ｔ２と同一または大きいと判断した場合には、矢印（３）に示すように、利用可能時間Ｔ１を示すデータを管理装置２へ送信する。本処理については、後述する［カラオケ装置４の選定処理の説明］欄において説明する。
【００５８】
利用可能時間Ｔ１を示すデータを受信した管理装置２は、利用可能時間Ｔ１を受信した全てのカラオケ装置４における利用可能時間が最も小さいカラオケ装置４を選定し、矢印（４）に示すように、準備要求を示すデータを前記選定したカラオケ装置４へ送信する。本処理については、後述する［管理装置２の選定処理の説明］欄において説明する。
【００５９】
準備要求を示すデータを受信したカラオケ装置４は、矢印（５）に示すように、二次電源オンする指示データを上述した順番ｍの数値「１」を示すリモコン端末５へ送信する。リモコン端末５は、本実施形態ではリモコンＢである。本処理については、後述する［カラオケ装置４の選定処理の説明］欄において説明する。
【００６０】
二次電源オンする指示データを受信したリモコンＢは、操作部６０及び表示部５８に二次電源を供給する。本処理については、後述する［リモコン端末５の演奏ログアウト処理の説明］欄において説明する。なお、管理者は、矢印（５’）に示すように、利用者を利用可能なカラオケ装置４が設置された部屋へ案内する。
【００６１】
そして、リモコンＢにおいてログイン情報（ユーザＩＤ，パスワード）が入力された場合に、リモコンＢは、矢印（６）に示すように、ログイン情報を示すデータをカラオケ装置４へ送信する。本処理については、後述する［リモコン端末５のログイン処理の説明］欄において説明する。
【００６２】
ログイン情報を示すデータを受信したカラオケ装置４は、矢印（７）に示すように、ログイン情報を示すデータを管理装置２へ送信する。本処理については、後述する［カラオケ装置４のログイン処理の説明］欄において説明する。
【００６３】
ログイン情報を示すデータを受信した管理装置２は、ログイン情報を登録されているユーザＩＤ及パスワードと照合することで、ログインを要求してきたユーザの認証の可否を判断する。そして、管理装置２は、矢印（８）に示すように、認証した場合にユーザＩＤを示すデータをログインを要求したカラオケ装置４へ送信する。本処理については、後述する［管理装置２のログイン処理の説明］欄において説明する。
【００６４】
ユーザＩＤを示すデータを受信したカラオケ装置４は、矢印（９）に示すように、ユーザＩＤを示すデータをログインを要求したリモコンＢへ送信する。本処理については、後述する［リモコン端末５のログイン処理の説明］欄において説明する。
【００６５】
次に、リモコンＢにおいて曲リクエスト（選曲番号）が受け付けられた場合に、リモコンＢは、矢印（１０）に示すように、曲リクエストを示すデータをカラオケ装置４へ送信する。本処理については、後述する［リモコン端末５の演奏ログアウト処理の説明］欄において説明する。
【００６６】
曲リクエストを示すデータを受信したカラオケ装置４は、曲リクエストに対応する楽曲データを演奏再生する。本処理については、後述する［カラオケ装置４の演奏ログアウト処理の説明］欄において説明する。
【００６７】
次に、リモコンＢが、矢印（１１）に示すように、リモコンＢの放電状態フラグ、及びログイン情報などの橋渡し情報を示すデータをカラオケ装置４へ送信する。本処理については、後述する［リモコン端末５の演奏ログアウト処理の説明］欄において説明する。
【００６８】
リモコン端末番号、放電状態フラグ、及び橋渡し情報を示すデータを受信したカラオケ装置４は、矢印（１２）に示すように、二次電源オンする指示データ及び上述の橋渡し情報を示すデータを上述した順番ｍの数値「ｍ」に数値「１」を加算した数値「ｍ＋１」の順番に対応するリモコン端末５へ送信する。この場合のリモコン端末５は、リモコンＡである。また、カラオケ装置４は、矢印（１２’）に示すように、二次電源オフする指示データを上述した順番ｍに対応するリモコン端末５へ送信する。この場合のリモコン端末５は、リモコンＢである。本処理については、後述する［カラオケ装置４の演奏ログアウト処理の説明］欄において説明する。
【００６９】
二次電源オンする指示データ及び上述の橋渡し情報を示すデータを受信したリモコンＡは、上述の橋渡し情報を記憶し、操作部６０及び表示部５８に二次電源を供給する。このことにより、リモコンＡは、リモコンＢに代わって、曲リクエスト（選曲番号）を受け付ける可能となる。本処理については、後述する［リモコン端末５の演奏ログアウト処理の説明］欄において説明する。
【００７０】
次に、リモコンＡにおいてログアウト情報が入力された場合に、リモコンＡは、矢印（１３）に示すように、ログアウト情報を示すデータをカラオケ装置４へ送信する。本処理については、後述する［リモコン端末５の演奏ログアウト処理の説明］欄において説明する。
【００７１】
ログアウト情報を示すデータを受信したカラオケ装置４は、矢印（１４）に示すように、ログアウト情報を示すデータを管理装置２へ送信する。本処理については、後述する［カラオケ装置４の演奏ログアウト処理の説明］欄において説明する。
【００７２】
ログアウト情報を示すデータを受信した管理装置２は、ログアウト情報に基づいてユーザＩＤに対応した登録ユーザをログアウトする。本処理については、後述する［管理装置２の演奏ログアウト処理の説明］欄において説明する。
【００７３】
［リモコン端末５の電圧検出処理の説明］
以下に、リモコン端末５の制御部５２により実行される電圧検出処理の処理手順を図６（ａ）のフローチャートに基づいて説明する。本処理は、リモコン端末５が起動されている場合に実行される。図６（ａ）は、リモコン端末５の制御部５２が実行する「リモコン端末５の電圧検出処理」の手順を示すフローチャートである。
【００７４】
まず、リモコン端末５がカラオケ装置４と対応つけられているか否かを判断する（Ｓ６１０）。「リモコン端末５がカラオケ装置４と対応つけられる」とは、「リモコン端末５とカラオケ装置４とを通信可能にする」ことを指す。リモコン端末５がユーザに貸与されると、ユーザは指定されたカラオケ装置４との通信を確認して、リモコン端末５がそのカラオケ装置４に対応つける。つまり、リモコン端末５とカラオケ装置４とが通信可能か否かを判断する。そして、リモコン端末５がカラオケ装置４と対応つけられていないと判断した場合には（Ｓ６１０：ＮＯ）、リモコン端末５がカラオケ装置４と対応つけられるまで待機し、リモコン端末５がカラオケ装置４と対応つけられたと判断した場合には（Ｓ６１０：ＹＥＳ）、Ｓ６２０の処理へ移行する。
【００７５】
Ｓ６２０の処理においては、クレードル６にリモコン端末５が設置されているか否かを判断する（Ｓ６１０）。具体的には、上述した［リモコン端末５の構成の説明］欄で説明したように、リモコン端末５がクレードル６に設置され、クレードル６の電源部から充電池７０に充電されている際に、制御部５２が充電電流を検出する。そして、クレードル６にリモコン端末５が設置されていると判断した場合には（Ｓ６２０：ＹＥＳ）、Ｓ６３０の処理へ移行する。一方、クレードル６にリモコン端末５が設置されていないと判断した場合には（Ｓ６２０：ＮＯ）、Ｓ６１０の処理へ戻る。
【００７６】
Ｓ６３０の処理においては、操作部６０及び表示部５８に供給している二次電源をオフにする。具体的には、上述した［リモコン端末５の構成の説明］欄で説明したように、制御部５２が、操作部６０及び表示部５８に供給している二次電源を切断する。Ｓ６３０の処理が終了したらＳ６４０の処理へ移行する。
【００７７】
Ｓ６４０の処理においては、充電池７０の出力電圧を検出し、充電状態フラグを決定する。具体的には、上述した［リモコン端末５の構成の説明］欄で説明したように、検出部６９が検出した充電池７０の充電電流値、及び端子電圧値に基づいて充電状態フラグを制御部５２が決定する。Ｓ６４０の処理が終了したらＳ６５０の処理へ移行する。
【００７８】
Ｓ６５０の処理においては、Ｓ６４０の処理において検出した出力電圧、決定した充電状態フラグをメモリ５６の充電中検出電圧関連データメモリ領域７１へ記憶する。Ｓ６５０の処理が終了したらＳ６６０の処理へ移行する。
【００７９】
Ｓ６６０の処理においては、カラオケ装置４によって送信された充電状態フラグの要求情報を受信したか否かを判断する。そして、充電状態フラグの要求情報を受信したと判断した場合には（Ｓ６６０：ＹＥＳ）、Ｓ６７０の処理へ移行する。一方、充電状態フラグの要求情報を受信していないと判断した場合には（Ｓ６６０：ＮＯ）、Ｓ６１０の処理へ戻る。
【００８０】
Ｓ６７０の処理においては、リモコン端末番号と充電状態フラグをカラオケ装置４へ送信する。具体的には、メモリ５６のリモコン端末番号データメモリ領域７３から読み出したリモコン端末番号及びＳ６４０の処理において決定した充電状態フラグをカラオケ装置４へ送信する。Ｓ６７０の処理が終了したら、Ｓ６１０の処理へ戻る。
【００８１】
［カラオケ装置４の電圧検出処理の説明］
以下に、カラオケ装置４の制御部１２により実行される電圧検出処理の処理手順を図６（ｂ）のフローチャートに基づいて説明する。本処理は、カラオケ装置４が起動されている場合に実行される。図６（ｂ）は、カラオケ装置４の制御部１２が実行する「カラオケ装置４の電圧検出処理」の手順を示すフローチャートである。
【００８２】
まず、対応つけられているリモコン端末５へ充電状態フラグの要求情報を送信する（Ｓ７１０）。具体的には、上述したリモコン端末５の電圧検出処理のＳ６１０の処理において説明したように、カラオケ装置４と通信可能なリモコン端末５へ充電状態フラグの要求情報を送信する。Ｓ７１０の処理が終了したらＳ７２０の処理へ移行する。
【００８３】
Ｓ７２０の処理においては、リモコン端末５のリモコン端末番号と充電状態フラグを受信したか否かを判断する。リモコン端末５のリモコン端末番号と充電状態フラグを受信していないと判断した場合には（Ｓ７２０：ＮＯ）、リモコン端末５のリモコン端末番号と充電状態フラグを受信するまで待機し、リモコン端末５のリモコン端末番号と充電状態フラグを受信したと判断した場合には（Ｓ７２０：ＹＥＳ）、Ｓ７３０の処理へ移行する。
【００８４】
Ｓ７３０の処理においては、Ｓ７２０の処理において受信したリモコン端末５のリモコン端末番号と充電状態フラグをＨＤＤ１６の検出電圧関連データメモリ領域４２へリモコン端末番号と充電状態フラグとを関連付けて記憶する。Ｓ７３０の処理が終了したらＳ７４０の処理へ移行する。
【００８５】
Ｓ７４０の処理においては、全てのリモコン端末５のリモコン端末番号を受信した否かを判断する。全てのリモコン端末５のリモコン端末番号を受信したと判断した場合には（Ｓ７４０：ＹＥＳ）、Ｓ７５０の処理へ移行する。一方、全てのリモコン端末５のリモコン端末番号を受信していないと判断した場合には（Ｓ７４０：ＮＯ）、Ｓ７２０の処理へ戻る。
【００８６】
Ｓ７５０の処理においては、Ｓ７２０の処理において受信した全てのリモコン端末５のリモコン端末番号に対して充電状態フラグから利用可能時間を算出する。具体的には、ＨＤＤ１６の利用可能時間換算表データメモリ領域４３における充電状態フラグの数値に対する利用可能時間を抽出する。Ｓ７５０の処理が終了したらＳ７６０の処理へ移行する。
【００８７】
Ｓ７６０の処理においては、Ｓ７５０の処理において抽出した利用可能時間が大きい順にリモコン端末番号に対して順番ｍを付与し、その順番ｍをＨＤＤ１６の検出電圧関連データメモリ領域４２へリモコン端末番号と順番ｍとを関連付けて記憶する。Ｓ７６０の処理が終了したら、Ｓ７１０の処理へ戻る。
【００８８】
［カラオケ装置４の選定処理の説明］
以下に、カラオケ装置４の制御部１２により実行される選定処理の処理手順を図７（ａ）のフローチャートに基づいて説明する。本処理は、カラオケ装置４が起動されている場合に実行される。図７（ａ）は、カラオケ装置４の制御部１２が実行する「カラオケ装置４の選定処理」の手順を示すフローチャートである。
【００８９】
まず、管理装置２によって送信された利用予定時間Ｔ２と利用可否要求を受信したか否かを判断する（Ｓ２１０）。具体的には、管理装置２によって送信されたユーザが利用する予定時間である利用予定時間Ｔ２とその利用予定時間Ｔ２に対して利用可能または利用不可能の情報を要求する利用可否要求を受信したか否かを判断する。利用予定時間Ｔ２と利用可否要求を受信していないと判断した場合には（Ｓ２１０：ＮＯ）、利用予定時間Ｔ２と利用可否要求を受信するまで待機し、利用予定時間Ｔ２と利用可否要求を受信したと判断した場合には（Ｓ２１０：ＹＥＳ）、Ｓ２３０の処理へ移行する。
【００９０】
Ｓ２３０の処理においては、利用可能時間Ｔ１の時間と利用予定時間Ｔ２の時間とを比較して、利用可能時間Ｔ１が利用予定時間Ｔ２と同一または大きいか否かを判断する。具体的には、ＨＤＤ１６の検出電圧関連データメモリ領域４２に記憶されているリモコン端末番号それぞれの利用可能時間を全て加算した利用可能時間Ｔ１がＳ２１０の処理において受信した利用予定時間Ｔ２と同一または大きいか否かを判断する。そして、利用可能時間Ｔ１が利用予定時間Ｔ２と同一または大きいと判断した場合には（Ｓ２１０：ＹＥＳ）、Ｓ２４０の処理へ移行する。一方、利用可能時間Ｔ１が利用予定時間Ｔ２と同一または大きくないと判断した場合には（Ｓ２１０：ＮＯ）、Ｓ２４２の処理へ移行する。
【００９１】
Ｓ２４０の処理においては、カラオケ装置４を識別するためのカラオケ装置番号と利用可能であることを示す利用可能情報と利用可能時間Ｔ１を管理装置２へ送信する。Ｓ２４０の処理が終了したらＳ２４５の処理へ移行する。
【００９２】
Ｓ２４５の処理においては、管理装置２によって送信された準備情報を受信したか否かを判断する。そして、準備情報を受信したと判断した場合には（Ｓ２４５：ＹＥＳ）、Ｓ２５０の処理へ移行する。一方、準備情報を受信していないと判断した場合には（Ｓ２４５：ＮＯ）、Ｓ２１０の処理へ戻る。
【００９３】
Ｓ２５０の処理においては、順番ｍの数値「１」を示すリモコン端末５へ、二次電源をオンする指示である通電フラグの数値「１」及び順番ｍの数値「１」を示すデータを送信し、順番ｍの数値「１」以外を示すリモコン端末５へ、二次電源をオフする指示である通電フラグの数値「０」を示すデータを送信する。Ｓ２５０の処理が終了したら、Ｓ２１０の処理へ戻る。
【００９４】
［管理装置２の選定処理の説明］
以下に、管理装置２の制御部２ａにより実行される選定処理の処理手順を図７（ｂ）のフローチャートに基づいて説明する。本処理は、管理装置２が起動されている場合に実行される。図７（ｂ）は、管理装置２の制御部２ａが実行する「管理装置２の選定処理」の手順を示すフローチャートである。
【００９５】
まず、ユーザＩＤと利用予定時間Ｔ２が入力されてか否かを判断（Ｓ９１０）。具体的には、管理装置２の表示部２ｆに例えばユーザＩＤと利用予定時間を操作するための案内画面が表示され、操作部２ｇが操作されることによって操作処理部２ｈを介してユーザＩＤと利用予定時間Ｔ２が入力されたか否かを判断する。そして、ユーザＩＤと利用予定時間Ｔ２が入力されていないと判断した場合には（Ｓ９１０：ＮＯ）、ユーザＩＤと利用予定時間Ｔ２が入力されるまで待機し、ユーザＩＤと利用予定時間Ｔ２が入力されたと判断した場合には（Ｓ９１０：ＹＥＳ）、Ｓ９１５の処理へ移行する。
【００９６】
Ｓ９１５の処理においては、管理装置２が管理する全てのカラオケ装置４へ利用予定時間Ｔ２と利用可否要求を送信する。Ｓ９１５の処理が終了したらＳ９２０の処理へ移行する。
【００９７】
Ｓ９２０の処理においては、カラオケ装置４によって送信された利用可能情報を受信したか否かを判断。そして、利用可能情報を受信したと判断した場合には（Ｓ９２０：ＹＥＳ）、Ｓ９２２の処理へ移行する。一方、利用可能情報を受信していないと判断した場合には（Ｓ９２０：ＮＯ）、Ｓ９１０の処理へ戻る。
【００９８】
Ｓ９２２の処理においては、Ｓ９２０の処理において受信した利用可能情報とともに受信したカラオケ装置番号と利用可能時間Ｔ１とを関連付けて、ＨＤＤ２ｂの利用可能時間関連データメモリ領域８１へ記憶する。Ｓ９２２の処理が終了したらＳ９２３の処理へ移行する。
【００９９】
Ｓ９２３の処理においては、全てのカラオケ装置４のカラオケ装置番号を受信した否かを判断する。そして、全てのリモコン端末５のリモコン端末番号を受信したと判断した場合には（Ｓ９２３：ＹＥＳ）、Ｓ９２４の処理へ移行する。一方、全てのカラオケ装置４のカラオケ装置番号を受信していないと判断した場合には（Ｓ９２３：ＮＯ）、Ｓ９２０の処理へ戻る。
【０１００】
Ｓ９２４の処理においては、利用可能時間Ｔ１が最も小さいカラオケ装置番号を選定する。具体的には、Ｓ９２２の処理においてＨＤＤ２ｂの利用可能時間関連データメモリ領域８１へ記憶した利用可能時間Ｔ１が示す時間を比較し、最も小さい時間を示す利用可能時間Ｔ１に関連するカラオケ装置番号を選定する。Ｓ９２４の処理が終了したらＳ９２６の処理へ移行する。
【０１０１】
Ｓ９２６の処理においては、カラオケ装置番号に対応する部屋番号を抽出する。具体的には、ＨＤＤ２ｂの部屋番号関連データメモリ領域８２へ記憶されて部屋番号関連データにおけるＳ９２４が選定したカラオケ装置番号に関連する部屋番号を抽出する。Ｓ９２６の処理が終了したらＳ９２８の処理へ移行する。
【０１０２】
Ｓ９２８の処理においては、ユーザＩＤと部屋番号を表示部２ｆに表示させる。具体的には、Ｓ９１０の処理において入力されたユーザＩＤと、Ｓ９２６の処理において抽出された部屋番号を映像制御部２ｅを制御して表示部２ｆに表示させる。Ｓ９２８の処理が終了したらＳ９３０の処理へ移行する。
【０１０３】
Ｓ９３０の処理においては、選定したカラオケ装置４へ準備要求を送信する。具体的には、Ｓ９２４の処理において選定されたカラオケ装置番号が示すカラオケ装置４へカラオケサービス利用をするための準備要求を送信する。Ｓ９３０の処理が終了したら、Ｓ９１０の処理へ戻る。
【０１０４】
［リモコン端末５のログイン処理の説明］
以下に、リモコン端末５の制御部５２により実行されるログイン処理の処理手順を図８（ａ）のフローチャートに基づいて説明する。本処理は、リモコン端末５が起動されている場合に実行される。図８（ａ）は、リモコン端末５の制御部５２が実行する「リモコン端末５のログイン処理」の手順を示すフローチャートである。
【０１０５】
まず、ユーザＩＤ及びパスワードが入力されたか否かを判断する（Ｓ１１０）。具体的には、リモコン端末５の表示部５８に例えばログインするための案内画面が表示され、操作部６０が操作されることによって操作処理部６２を介してユーザＩＤ及びパスワードが入力されたか否かを判断する。そして、ユーザＩＤ及びパスワードが入力されていないと判断した場合には（Ｓ１１０：ＮＯ）、ユーザＩＤ及びパスワードを受け付けるまで待機し、ユーザＩＤ及びパスワードを受け付けたと判断した場合には（Ｓ１１０：ＹＥＳ）、Ｓ１２０の処理へ移行する。
【０１０６】
Ｓ１２０の処理においては、受け付けたユーザＩＤ及びパスワードをカラオケ装置４へのログインを要求する情報とともにカラオケ装置４の制御部１２へ送信する。Ｓ１２０の処理が終了したらＳ１３０の処理へ移行する。
【０１０７】
Ｓ１３０の処理においては、ユーザＩＤをカラオケ装置４の制御部１２から受信したか否かを判断する。そして、ユーザＩＤを受信していると判断した場合には（Ｓ１３０：ＹＳＥ）、Ｓ１３２の処理へ移行する。一方、ユーザＩＤを受け付けていないと判断した場合には（Ｓ１３０：ＮＯ）、Ｓ１１０の処理へ戻る。
【０１０８】
Ｓ１３２の処理においては、ユーザＩＤをログインデータメモリ領域７６へ記憶する。具体的には、Ｓ１１０の処理において入力されたユーザＩＤをメモリ５６のログインデータメモリ領域７６へ記憶する。Ｓ１３２の処理が終了したら、Ｓ１３５の処理へ移行する。
【０１０９】
Ｓ１３５の処理においては、ログイン情報を表示部５８に表示させる。具体的には、上述したＳ１３０の処理において受信したユーザＩＤを映像制御部６６を制御して表示部５８に表示させる。Ｓ１３５の処理が終了したら、Ｓ１１０の処理へ戻る。
【０１１０】
［カラオケ装置４のログイン処理の説明］
以下に、カラオケ装置４の制御部１２により実行されるログイン処理の処理手順を図８（ｂ）のフローチャートに基づいて説明する。本処理は、カラオケ装置４が起動されている場合に実行される。図８（ｂ）は、カラオケ装置４の制御部１２が実行する「カラオケ装置４のログイン処理」の手順を示すフローチャートである。
【０１１１】
まず、ユーザＩＤ及びパスワードを受信したか否かを判断する（Ｓ３１０）。具体的には、カラオケ装置４がリモコン端末５によって送信されたユーザＩＤ及びパスワードを受信したか否かを判断する。そして、ユーザＩＤ及びパスワードを受信していないと判断した場合には（Ｓ３１０：ＮＯ）、ユーザＩＤ及びパスワードを受信するまで待機し、ユーザＩＤ及びパスワードを受信したと判断した場合には（Ｓ３１０：ＹＥＳ）、Ｓ３２０の処理へ移行する。
【０１１２】
Ｓ３２０の処理においては、受信したユーザＩＤ及びパスワードを管理装置２へのログインを要求する情報とともに管理装置２の制御部２ａへ送信する。Ｓ３２０の処理が終了したらＳ３３０の処理へ移行する。
【０１１３】
Ｓ３３０の処理においては、ユーザＩＤを示すデータを管理装置２の制御部２ａから受信したか否かを判断する。そして、ユーザＩＤを示すデータを受信していないと判断した場合には（Ｓ３３０：ＮＯ）、ユーザＩＤを示すデータを受け付けるまで待機し、ユーザＩＤを示すデータを受け付けたと判断した場合には（Ｓ３３０：ＹＥＳ）、Ｓ３５０の処理へ移行する。
【０１１４】
Ｓ３５０の処理においては、ユーザＩＤをログインを要求したリモコン端末５へ送信する。Ｓ３５０の処理が終了したら、Ｓ３１０の処理へ戻る。
［管理装置２のログイン処理の説明］
以下に、管理装置２の制御部２ａにより実行されるログイン処理の処理手順を図８（ｃ）のフローチャートに基づいて説明する。本処理は、管理装置２が起動されている場合に実行される。図８（ｃ）は、管理装置２の制御部２ａが実行する「管理装置２のログイン処理」の手順を示すフローチャートである。
【０１１５】
まず、ユーザＩＤ及びパスワードを受信したか否かを判断する（Ｓ９１０）。具体的には、カラオケ装置４から送信された登録ユーザのログインを要求するための情報とともにユーザＩＤ及びパスワードを受信したか否かを判断する。そして、ユーザＩＤ及びパスワードを受信していないと判断した場合には（Ｓ９１０：ＮＯ）、」ユーザＩＤ及びパスワードを受信するまで待機し、ユーザＩＤ及びパスワードを受信したと判断した場合には（Ｓ９１０：ＮＯ）、Ｓ９２０の処理へ移行する。
【０１１６】
Ｓ９２０の処理においては、登録ユーザのログインを要求するための情報とともに送信されてきたユーザＩＤ及びパスワードを、ＨＤＤ２ｂが有するユーザ登録データベース（図示せず）に登録されているユーザＩＤ及パスワードと照合することで、ログインを要求してきたユーザの認証の可否を判断する。そして、送信されてきたユーザＩＤ及びパスワードが、ユーザ登録データベースに登録されているユーザＩＤ及びパスワードと適合する判断した場合には（Ｓ９２０：ＹＥＳ、認証ＯＫ）、Ｓ９５０の処理へ移行する。一方、送信されてきたユーザＩＤ及びパスワードが、ユーザ登録データベースに登録されているユーザＩＤ及びパスワードと適合しないと判断した場合には（Ｓ９２０：ＮＯ、認証ＮＧ）、Ｓ９１０の処理へ戻る。
【０１１７】
Ｓ９５０の処理においては、ユーザＩＤをログインを要求したカラオケ装置４へ送信する。Ｓ９５０の処理が終了したら、Ｓ９１０の処理へ戻る。
［リモコン端末５の演奏ログアウト処理の説明］
以下に、リモコン端末５の制御部５２により実行される演奏ログアウト処理の処理手順を図９（ａ）のフローチャートに基づいて説明する。本処理は、リモコン端末５が起動されている場合に実行される。図９（ａ）は、リモコン端末５の制御部５２が実行する「リモコン端末５の演奏ログアウト処理」の手順を示すフローチャートである。
【０１１８】
まず、カラオケ装置４によって送信された通電フラグの数値「１」を示すデータを受信したか否かを判断する（Ｓ１４０）。そして、通電フラグの数値「１」を示すデータを受信していないと判断した場合には（Ｓ１４０：ＮＯ）、通電フラグの数値「１」を示すデータを受信するまで待機し、通電フラグの数値「１」を示すデータを受信した場合には（Ｓ１４０：ＹＥＳ）、Ｓ１４２の処理へ移行する。
【０１１９】
Ｓ１４２の処理においては、カラオケ装置４によって送信された順番ｍの数値「１」を示すデータを受信したか否かを判断する。順番ｍの数値「１」を示すデータを受信したと判断した場合には（Ｓ１４２：ＹＥＳ）、Ｓ１４４の処理へ移行する。一方、順番ｍの数値「１」を示すデータを受信していないと判断した場合には（Ｓ１４２：ＮＯ）、Ｓ１５０の処理へ移行する。
【０１２０】
Ｓ１４４の処理においては、操作部６０及び表示部５８に供給している二次電源をオンにする。具体的には、上述した［リモコン端末５の構成の説明］欄で説明したように、制御部５２が、操作部６０及び表示部５８に二次電源を供給する。Ｓ１４４の処理が終了したらＳ１４６の処理へ移行する。
【０１２１】
Ｓ１４６の処理においては、上述した［リモコン端末５のログイン処理］欄のリモコン端末５のログイン処理へ移行する。Ｓ１４６の処理が終了したらＳ１６０の処理へ移行する。
【０１２２】
Ｓ１５０の処理においては、カラオケ装置４によって送信されたログイン情報及び予約情報を受信したか否かを判断する。そして、ログイン情報及び予約情報を受信していないと判断した場合には（Ｓ１５０：ＮＯ）、ログイン情報及び予約情報を受信するまで待機し、ログイン情報及び予約情報を受信したと判断した場合には（Ｓ１５０：ＹＥＳ）、Ｓ１５２の処理へ移行する。
【０１２３】
Ｓ１５２の処理においては、ログイン情報をメモリ５６のログインデータメモリ領域７６へ記憶し、予約情報をメモリ５６の予約データメモリ領域７７へ記憶する。Ｓ１５２の処理が終了したらＳ１５４の処理へ移行する。
【０１２４】
Ｓ１５４の処理においては、操作部６０及び表示部５８に供給している二次電源をオンにする。Ｓ１５４の処理が終了したらＳ１５６の処理へ移行する。
Ｓ１５６の処理においては、ログイン情報を表示部５８へ表示する。具体的には、Ｓ１５０の処理において受信してログイン情報を映像制御部６６を制御して表示部５８へ表示させる。Ｓ１５６の処理が終了したらＳ１６０の処理へ移行する。
【０１２５】
Ｓ１６０の処理においては、操作処理部６２から選曲番号を受け付けたか否かを判断する。具体的には、リモコン端末５の表示部５８に例えばユーザＩＤ及びカラオケ演奏する曲番号などを入力するための案内画面が表示され、操作部６０が操作されることによって操作処理部６２を介して選曲されたユーザＩＤ及び選曲番号を受け付けたか否かを判断する。そして、ユーザＩＤ及び選曲番号を受け付けていないと判断した場合には（Ｓ１４０：ＮＯ）、ユーザＩＤ及び選曲番号を受け付けるまで待機し、ユーザＩＤ及び選曲番号を受け付けたと判断した場合には（Ｓ１４０：ＹＥＳ）、Ｓ１６２の処理へ移行する。
【０１２６】
Ｓ１６２の処理においては、リクエストを予約情報に記憶する。具体的には、Ｓ１６０の処理において、カラオケ演奏するためにユーザによって予約された予約順位及び予約された曲番号を関連付けて、予約データメモリ領域７７へ記憶する。Ｓ１６２の処理が終了したらＳ１６４の処理へ移行する。
【０１２７】
Ｓ１６４の処理においては、カラオケ装置４へユーザＩＤと選曲番号を送信する。具体的には、Ｓ１６０の処理において受け付けたユーザＩＤ及び選曲番号をカラオケ装置４へ送信する。Ｓ１６４の処理が終了したらＳ１６６の処理へ移行する。
【０１２８】
Ｓ１６６の処理においては、ログアウトが入力されたか否かを判断する。具体的には、リモコン端末５の表示部５８に例えばログアウトするための案内画面が表示され、操作部６０が操作されることによって操作処理部６２を介してユーザＩＤ及びログアウトが入力されたか否かを判断する。そして、ログアウトが入力されたと判断した場合には（Ｓ１６６：ＹＥＳ）、Ｓ１６８の処理へ移行する。一方、ログアウトが入力されていないと判断した場合には（Ｓ１６６：ＮＯ）、Ｓ１７０の処理へ移行する。
【０１２９】
Ｓ１６８の処理においては、カラオケ装置４へユーザＩＤ及びログアウト情報を送信する。具体的には、Ｓ１６６の処理において入力されたユーザＩＤ及びログアウト情報をカラオケ装置４へ送信する。Ｓ１６８の処理が終了したら、Ｓ１６０の処理へ戻る。
【０１３０】
Ｓ１７０の処理においては、放電状態フラグの数値「１」を示すデータを受信したか否かを判断する。そして、放電状態フラグの数値「１」を示すデータを受信したと判断した場合には（Ｓ１７０：ＹＥＳ）、Ｓ１７２の処理へ移行する。一方、放電状態フラグの数値「１」を示すデータを受信していないと判断した場合には（Ｓ１７０：ＮＯ）、Ｓ１６０の処理へ戻る。
【０１３１】
Ｓ１７２の処理においては、カラオケ装置４へリモコン端末番号、放電状態フラグの数値「０」、ログイン情報、及び予約情報を送信する。具体的には、メモリ５６のリモコン端末番号データメモリ領域７３から読み出したリモコン端末番号データ、Ｓ１７０の処理において受信した放電状態フラグの数値「０」を示すデータ、メモリ５６のログインデータメモリ領域７６から読み出したログインデータ、及びメモリ５６の予約データメモリ領域７７から読み出した予約データをカラオケ装置４へ送信する。Ｓ１７２の処理が終了したらＳ１７４の処理へ移行する。
【０１３２】
Ｓ１７４の処理においては、カラオケ装置４によって送信された二次電源オフ指示を示すデータを受信したか否かを判断する。そして、二次電源オフ指示を示すデータを受信していないと判断した場合には（Ｓ１７４：ＮＯ）、二次電源オフ指示を示すデータを受信するまで待機し、二次電源オフ指示を示すデータを受信した場合には（Ｓ１７４：ＹＥＳ）、Ｓ１７６の処理へ移行する。
【０１３３】
Ｓ１７６の処理においては、操作部６０及び表示部５８に供給している二次電源をオフにする。具体的には、上述した［リモコン端末５の構成の説明］欄で説明したように、制御部５２が、操作部６０及び表示部５８に供給している二次電源を切断する。Ｓ１７６の処理が終了したらＳ１４０の処理へ戻る。
【０１３４】
なお、上述したＳ１４２の処理において順番ｍの数値「１」を示すデータを受信していないと判断した場合には（Ｓ１４２：ＮＯ）、まずＳ１５４の処理において、次に利用可能とするリモコン端末の操作部６０及び表示部５８に電源電圧を供給するために二次電源をオンにし、次のＳ１５６の処理においてログイン情報を表示部５８へ表示させてから、Ｓ１７６の処理において現在利用しているリモコン端末の二次電源をオフにしている。その目的は、Ｓ１５４とＳ１７６の処理する順序を考慮せずに、現在利用しているリモコン端末をオフにしてから、次のリモコン端末をオンにする順序にすると、一瞬ではあるが、全てのリモコン端末がオフ状態となり、その間はリモコン端末を使用したサービスが中断するため、カラオケを行う利便性が損なわれるので、それを防ぐためである。
【０１３５】
［カラオケ装置４の演奏ログアウト処理の説明］
以下に、カラオケ装置４の制御部１２により実行される演奏ログアウト処理の処理手順を図１０のフローチャートに基づいて説明する。本処理は、カラオケ装置４が起動されている場合に実行される。図１０は、カラオケ装置４の制御部１２が実行する「制御部１２の演奏ログアウト処理」の手順を示すフローチャートである。
【０１３６】
まず、ユーザＩＤ及び選曲番号を受信したか否かを判断する（Ｓ５１０）。具体的には、リモコン端末５によって送信されたユーザＩＤ及び選曲番号を受信したか否かを判断する。そして、ユーザＩＤ及び選曲番号を受け付けていないと判断した場合には（Ｓ５１０：ＮＯ）、ユーザＩＤ及び選曲番号を受け付けるまで待機し、ユーザＩＤ及び選曲番号を受け付けたと判断した場合には（Ｓ５１０：ＹＥＳ）、Ｓ５１２の処理へ移行する。
【０１３７】
Ｓ５１２の処理においては、ＨＤＤ１６から選曲番号に対応する楽曲データを読み出す。具体的には、選曲された曲番号に対応する楽曲データをＨＤＤ１６の楽曲データメモリ領域４１から読み出す。Ｓ５１２の処理が終了したらＳ５１４の処理へ移行する。
【０１３８】
Ｓ５１４の処理においては、Ｓ５１２の処理においてＨＤＤ１６から読み出された楽曲データを演奏再生する。具体的には、ＨＤＤ１６から読み出された楽曲データを再生し、再生した演奏データをＭＩＤＩ音源３０に出力し、スピーカ２８から発音させる。Ｓ５１４の処理が終了したらＳ５１６の処理へ移行する。
【０１３９】
Ｓ５１６の処理においては、演奏再生終了したか否かを判断する。そして、演奏再生終了していないと判断した場合には（Ｓ５１６：ＮＯ）、演奏再生終了するまで待機し、演奏再生終了したと判断した場合には（Ｓ５１６：ＹＥＳ）、Ｓ５２０の処理へ移行する。
【０１４０】
Ｓ５２０の処理においては、ユーザＩＤ及びログアウト情報を受信したか否かを判断する。具体的には、リモコン端末によって送信されたユーザＩＤ及びログアウト情報を受信したか否かを判断する。そして、ユーザＩＤ及びログアウト情報を受信したと判断した場合には（Ｓ５２０：ＹＥＳ）、Ｓ５２２の処理へ移行する。一方、ユーザＩＤ及びログアウト情報を受信していないと判断した場合には（Ｓ５２０：ＮＯ）、Ｓ５２４の処理へ移行する。
【０１４１】
Ｓ５２２の処理においては、管理装置２へユーザＩＤ及びログアウト情報を送信する。具体的には、Ｓ５２０の処理において受信したユーザＩＤ及びログアウト情報を管理装置２へ送信する。Ｓ５２２の処理が終了したら、Ｓ５１０の処理へ戻る。
【０１４２】
Ｓ５２４の処理においては、リモコン端末５によって送信された放電状態フラグの数値「０」を受信したか否かを判断する。放電状態フラグの数値「０」を受信したと判断した場合には（Ｓ５２４：ＹＥＳ）、Ｓ５３６の処理へ移行する。一方、放電状態フラグの数値「０」を受信していないと判断した場合には（Ｓ５２４：ＮＯ）、Ｓ５１０の処理へ戻る。
【０１４３】
Ｓ５３６の処理においては、リモコン端末５によって送信されたリモコン端末番号、放電状態フラグの数値「０」、ログイン情報、及び予約情報を受信する。
Ｓ５３８の処理においては、順番ｍの数値「ｍ」に数値「１」を加算して、数式「ｍ＝ｍ+１」とする。具体的には、Ｓ５２４の処理において受信したリモコン端末番号に対応する順番ｍの数値「ｍ」をＨＤＤ１６の検出電圧関連データメモリ領域４２から読み出し、読み出した順番ｍの数値「ｍ」に数値「１」を加算して、数式「ｍ＝ｍ+１」とする。Ｓ５３８の処理が終了したらＳ５４０の処理へ移行する。
【０１４４】
Ｓ５４０の処理においては、Ｓ５３８の処理において数値「１」を加算した順番ｍに対応するリモコン端末番号を有するリモコン端末５へ通電フラグの数値「１」、順番ｍの数値「ｍ」を示すデータ、ログイン情報、及び予約情報を送信する。Ｓ５４０の処理が終了したらＳ５４２の処理へ移行する。
【０１４５】
Ｓ５４２の処理においては、Ｓ５３８の処理において数値「１」を加算した順番ｍの数値「ｍ」に数値「１」を減算した順番ｍに対応するリモコン端末番号を有するリモコン端末５へ二次電源オフ指示を送信する。具体的には、Ｓ５２４の処理において受信したリモコン端末番号を有するリモコン端末５へ二次電源オフ指示を送信する。Ｓ５４２の処理が終了したら、Ｓ５１０の処理へ戻る。
【０１４６】
［管理装置２の演奏ログアウト処理の説明］
以下に、管理装置２の制御部２ａにより実行される演奏ログアウト処理の処理手順を図９（ｂ）のフローチャートに基づいて説明する。本処理は、管理装置２が起動されている場合に実行される。図９（ｂ）は、管理装置２の制御部２ａが実行する「管理装置２の演奏ログアウト処理」の手順を示すフローチャートである。
【０１４７】
まず、カラオケ装置４によって送信されたユーザＩＤ及びログアウト情報を受信したか否かを判断する（Ｓ９８０）。そして、ユーザＩＤ及びログアウト情報を受信していないと判断した場合には（Ｓ９８０：ＮＯ）、ユーザＩＤ及びログアウト情報を受信するまで待機し、ユーザＩＤ及びログアウト情報を受信したと判断した場合には（Ｓ９８０：ＹＥＳ）、Ｓ９９０の処理へ移行する。
【０１４８】
Ｓ９９０の処理においては、ユーザＩＤに対応した登録ユーザをログアウトする。Ｓ９９０の処理が終了したら、Ｓ９８０の処理へ戻る。
［効果］
本実施形態のカラオケシステム１によれば、次のような作用効果を奏する。すなわち、複数のリモコン端末によってカラオケ装置を操作するカラオケシステムおいては、例えばリモコン端末が、カラオケ装置と通信中にリモコン端末が内蔵する２次電池の出力電圧レベルや充電量が少なくなり、カラオケ演奏する予約曲の入力操作や予約曲の確認表示など、リモコン端末を使用したサービスが中断する。そこで、リモコン端末それぞれの利用できる時間のうち最も短い時間に、カラオケルームが利用可能な時間を合わせることで、リモコン端末を使用したサービスが中断しないようにすることが考えられが、その利用できる時間が最も短いリモコン端末に合わせてカラオケルームの利用時間が設定されるため、カラオケルームとしての利用可能な時間も短くなり、カラオケ店として料金収入が少なくなるおそれがある。また、２次電池が満充電になるまでリモコン端末の使用を待てば、満充電になった以降には最大の利用可能時間を設定できるが、その間はカラオケルームを使用できないため、利用者にとっては、不満を感じる可能性が高くなる。
【０１４９】
（１）それに対して、本実施形態のカラオケシステム１は次のように構成されている。すなわち、カラオケ装置４の制御部１２が、複数のリモコン端末５それぞれに充電状態フラグを送信するよう要求する要求情報を送信する。また、制御部１２が、複数のリモコン端末５それぞれから充電状態フラグを受信したか否かを判断し、複数の全てのリモコン端末５から充電状態フラグを受信したと判断した場合に、ＨＤＤ１６が記憶する複数のリモコン端末５それぞれの充電状態フラグから複数のリモコン端末５それぞれのリモコン端末番号を順次選定する。制御部１２が、選定したリモコン端末番号によって識別されるリモコン端末５へその表示部５８及び操作部６０に二次電源を供給するよう要求するための情報を送信し、選定していないリモコン端末番号によって識別される全てのリモコン端末５へその全ての表示部５８及び操作部６０に二次電源を切断するよう要求するための情報を送信する。さらに、リモコン端末５の制御部５２が、カラオケ装置４から二次電源を供給するよう要求するための情報を受信した場合には、表示部５８及び操作部６０に二次電源を供給し、一方、制御部５２が、カラオケ装置４から二次電源を切断するよう要求するための情報を受信した場合には、表示部５８及び操作部６０に供給する二次電源を切断する。また、制御部５２が、充電池７０の放電状態フラグが数値「０」（数値の小さい方が充電量が小さい。）を検出した場合には、メモリ５６からリモコン端末番号を読み出し、読み出したリモコン端末番号及び放電状態フラグが数値「０」を関連付けてカラオケ装置に送信する。また、カラオケ装置４の制御部１２が、選定されたリモコン端末番号によって識別されるリモコン端末５からリモコン端末番号及び放電状態フラグが数値「０」を受信した場合に、次のリモコン端末番号を選定する。
【０１５０】
このように構成されているので、選定したリモコン端末５の表示部５８及び操作部６０だけに二次電源が供給され、選定していない全てのリモコン端末５の表示部５８及び操作部６０には二次電源が切断される。また、選定したリモコン端末５が充電池７０の放電状態フラグが数値「０」を検出した場合には、放電状態フラグが数値「０」がカラオケ装置４に送信される。すると、次のリモコン端末５を選定する。したがって、複数のリモコン端末５によってカラオケ装置４を操作するカラオケシステムおいて、複数台のリモコン端末５のうち選定したリモコン端末５の表示部５８及び操作部６０だけに二次電源が供給されるので、カラオケルームとして利用できるとともに、残りのリモコン端末５の表示部５８及び操作部６０には二次電源が切断されるので、残りのリモコン端末５の消費電力を低減できる。また、カラオケシステム１がリモコン端末５の充電池７０に充電するためのクレードル６を備えている場合には、残りのリモコン端末５の充電池７０に充電することができる。さらに、選定したリモコン端末５が充電池７０の放電状態フラグが数値「０」を検出した場合には、次のリモコン端末が選定されるので、カラオケルームとしての利用時間の低下を防止できる。
【０１５１】
（２）また、本実施形態のカラオケシステム１は次のように構成されている。すなわち、制御部１２は、ＨＤＤ１６が記憶する複数のリモコン端末５それぞれの利用可能時間から複数のリモコン端末５それぞれの利用可能時間それぞれを比較し、その利用可能時間が最も大きい利用可能時間に関連するリモコン端末番号から、その利用可能時間が最も小さい利用可能時間に関連するリモコン端末番号まで順次選定する。
【０１５２】
このように構成されているので、リモコン端末５は、その利用可能時間が最も大きい利用可能時間に関連するリモコン端末番号から、その利用可能時間が最も小さい利用可能時間に関連するリモコン端末番号まで順次選定される。つまり、充電量の多い（電圧制御であれば端子電圧が最も高い）リモコン端末５から順次電源をオンすることで、利用者によるリモコン端末５の利便性を低下させない効果が得られる。
【０１５３】
（３）さらに、本実施形態のカラオケシステム１は次のように構成されている。すなわち、管理装置２の制御部２ａが、操作部２ｇが受け付けた利用予定時間と、カラオケ装置を識別するためのカラオケ装置番号及び利用可否情報を送信するよう要求するための利用可否要求情報とを複数のカラオケ装置４へ送信する。また、カラオケ装置４の制御部１２が、ＨＤＤ１６が記憶する検出電圧関連データから利用可能時間を抽出し、その抽出した利用可能時間それぞれを加算してカラオケ装置４の利用可能時間を算出する。さらに、制御部１２は、管理装置２から利用予定時間と、利用可否情報とを受信した場合に、利用可能時間と利用予定時間とを比較し、利用可能時間が利用予定時間より大きいか否かを判断し、利用可能時間が利用予定時間と同一または大きいと判断した場合には、ＨＤＤ１６が記憶するカラオケ装置番号及び利用可能情報と、利用可能時間とを含めて管理装置に送信し、一方、利用可能時間が利用予定時間より小さいと判断した場合には、ＨＤＤ１６が記憶するカラオケ装置番号及び利用不可能情報を管理装置２に送信する。また、管理装置２の制御部２ａが、複数の全てのカラオケ装置４それぞれから利用可能情報または利用不可能情報のいずれか一方を受信した場合に、利用可能情報を受信したか否かを判断し、利用可能情報を受信したと判断した場合には、受信した全ての利用可能情報それぞれと含めて受信した利用可能時間を比較し、最も小さい利用可能時間を示す利用可能時間と含めて受信したカラオケ装置番号を選定する。
【０１５４】
このように構成されているので、カラオケ装置４は、複数のリモコン端末５の充電池７０それぞれの充電状態フラグに基づいて利用可能時間を算出して、その算出した利用可能時間が、管理装置２から送信されたユーザが要求する利用予定時間と同一または大きければ利用可能情報と、利用可能時間を管理装置２に送信する。一方、その算出した利用可能時間が、管理装置２から送信されたユーザが要求する利用時間より小さければ利用不可情報を管理装置２に送信する。また、管理装置２は、受信した利用可能時間それぞれを比較し、最も小さい利用可能時間を有するカラオケ装置４を選定する。つまり、ユーザが要求する利用時間よりは大きいが、ユーザが要求する利用時間に最も近い利用可能時間を有するカラオケ装置４を選定する。ユーザが要求する利用時間に最も近い利用可能時間を有するカラオケ装置４を選定することによって、次のユーザに対応できるカラオケ装置の台数を増やすことができる。
【０１５５】
（４）また、本実施形態のカラオケシステム１は次のように構成されている。すなわち、管理装置２の制御部２ａが、管理装置２へのログインが許可されるユーザである登録ユーザを、カラオケ装置４から送信されたユーザＩＤ及びパスワード情報を受信した場合に、認証要請情報によって認証し、その認証した登録ユーザに対して管理装置２へのログインを許可する。また、カラオケ装置４の制御部１２が、選定するリモコン端末番号によって識別されるリモコン端末５へＨＤＤ１６が記憶するユーザＩＤ及び表示部５８にユーザＩＤを表示するよう要求するための表示要求情報を送信し、選定していないリモコン端末番号によって識別される全てのリモコン端末５へその全ての表示部５８にユーザＩＤを表示しないよう要求するための非表示要求情報を送信する。さらに、リモコン端末５の映像制御部６６が、カラオケ装置４からユーザＩＤ及び表示要求情報を受信した場合には、表示部５８を制御してユーザＩＤを表示させ、一方、非表示要求情報を受信した場合には、表示部５８を制御してユーザＩＤを表示させない。
【０１５６】
このように構成されたカラオケシステムによれば、選定するリモコン端末５の表示部５８が、ユーザＩＤを表示させ、選定していないリ全てのリモコン端末５の表示部５８が、ユーザＩＤを表示させない。したがって、ユーザを認証し、管理装置２へのログインを許可するカラオケシステム１において、選定されたリモコン端末５の放電状態フラグが数値「０」になり、次のリモコン端末が選定される際に、ログインされているユーザＩＤも併せて、その選定されるリモコン端末５に移し替えることができる。また、次のリモコン端末５が選定される際に、ログインされているユーザＩＤも併せて、その選定されるリモコン端末５に自動的に移し替えられるので、ユーザにとっては、ログアウト操作する手間やログイン操作する手間が掛からない。
【０１５７】
（５）また、本実施形態のカラオケシステム１は次のように構成されている。すなわち、管理装置２のＨＤＤ２ｂは、複数のカラオケ装置４それぞれが設置されている部屋を識別するための部屋番号及びその部屋に設置されているカラオケ装置のカラオケ装置番号を関連付けて記憶する。表示部２ｆが各種情報を表示可能であり、制御部２ａがカラオケ装置４の制御部１２によって選定されたカラオケ装置番号に関連する部屋番号を表示部２ｆに表示させる。
【０１５８】
このように構成されたカラオケシステムによれば、利用者の利用予定時間よりも、リモコン端末５の利用可能時間の合計が大きく、かつ、最も近い時間の部屋を管理装置２の表示手段に表示させられるので、管理者がカラオケルームの利用者に対して、カラオケを行うときに利便性が悪くならない部屋を提供できる効果が得られる。つまり、利用者の利用予定時間よりも、リモコン端末５の利用可能時間の合計が大きく、かつ、最も近い時間の部屋を管理装置２の表示部２ｆに表示させられるようにすれば、利用者の利用予定時間と部屋の利用可能時間とが対応付けられるので、無駄の少ない部屋利用が可能となり、利用者ごとにカラオケを行うときの利便性が維持される効果が得られるので、カラオケ店の料金収入も維持できる可能性が高くなる。
【図面の簡単な説明】
【０１５９】
【図１】カラオケシステム１の全体構成を示すブロック図である。
【図２】充電池７０の出力電圧を検出する構成と、操作部６０及び表示部５８に電源電圧を供給する構成を示すブロック図である。
【図３】（ａ）はＨＤＤ２ｂに設けられたメモリ領域を示す説明図であり、（ｂ）は利用可能時間関連データメモリ領域８１を示す説明図であり、（ｃ）部屋番号関連データメモリ領域８２を示す説明図であり、（ｄ）はカラオケ装置番号データメモリ領域８４を示す説明図であり、（ｅ）は利用者データメモリ領域８５を示す説明図である。
【図４】（ａ）はＨＤＤ１６に設けられたメモリ領域を示す説明図であり、（ｂ）は検出電圧関連データメモリ領域４２を示す説明図であり、（ｃ）利用可能時間換算表データメモリ領域４３を示す説明図であり、（ｄ）はリモコン端末番号データメモリ領域４６を示す説明図である。
【図５】（ａ）はメモリ５６に設けられたメモリ領域を示す説明図であり、（ｂ）は充電中検出電圧関連データメモリ領域７１を示す説明図であり、（ｃ）放電中検出電圧関連データメモリ領域７２を示す説明図であり、（ｄ）はログインデータメモリ領域７６を示す説明図であり、（ｅ）は予約データメモリ領域７７を示す説明図である。
【図６】（ａ）はリモコン端末５の制御部５２が実行する「リモコン端末５の電圧検出処理」の手順を示すフローチャートであり、（ｂ）はカラオケ装置４の制御部１２が実行する「カラオケ装置４の電圧検出処理」の手順を示すフローチャートである。
【図７】（ａ）はカラオケ装置４の制御部１２が実行する「カラオケ装置４の選定処理」の手順を示すフローチャートであり、（ｂ）は管理装置２の制御部２ａが実行する「管理装置２の選定処理」の手順を示すフローチャートである。
【図８】（ａ）はリモコン端末５の制御部５２が実行する「リモコン端末５のログイン処理」の手順を示すフローチャートであり、（ｂ）はカラオケ装置４の制御部１２が実行する「カラオケ装置４のログイン処理」の手順を示すフローチャートであり、（ｃ）は管理装置２の制御部２ａが実行する「管理装置２のログイン処理」の手順を示すフローチャートである。
【図９】（ａ）はリモコン端末５の制御部５２が実行する「リモコン端末５の演奏ログアウト処理」の手順を示すフローチャートであり、（ｂ）は管理装置２の制御部２ａが実行する「管理装置２の演奏ログアウト処理」の手順を示すフローチャートである。
【図１０】カラオケ装置４の制御部１２が実行する「制御部１２の演奏ログアウト処理」の手順を示すフローチャートである。
【図１１】カラオケシステム１の全体処理の概要を示すシグナルフロー図である。
【符号の説明】
【０１６０】
１…カラオケシステム、２…管理装置、２ａ…制御部、２ｂ…ＨＤＤ、２ｃ…インタフェース部、４…カラオケ装置、５…リモコン端末、６…クレードル、６ａ…電源、６ｂ…ＵＳＢ−ＬＡＮ変換部、１２…制御部、１４，２ｃ…インタフェース部、１６…ハードディスク（ＨＤＤ）、１８…操作部、２０…無線通信部、２２…操作処理部、２４…音声制御部、２６…マイクロフォン、２８…スピーカ、３０…ＭＩＤＩ音源、３２…ビデオＲＡＭ、３４…映像再生部、３６…モニタ、３８，２ｅ…映像制御部、４１…楽曲データメモリ領域、４２…検出電圧関連データメモリ領域、４３…利用可能時間換算表データメモリ領域、４４…カラオケ装置番号データメモリ領域、４５…管理装置番号データメモリ領域、４６…リモコン端末番号データメモリ領域、５２…制御部、５２ａ…Ａ／Ｄ変換部、５２ｂ…充電量計側部、５４…無線通信部、５６…メモリ、５８，２ｆ…表示部、６０，２ｇ…操作部、６２，２ｈ…操作処理部、６４…ビデオＲＡＭ、６６…映像制御部、６８…ＵＳＢ制御部、６９…検出部、７０…充電池、７１…充電中検出電圧関連データメモリ領域、７２…放電中検出電圧関連データメモリ領域、７３…リモコン端末番号データメモリ領域、７４…カラオケ装置番号データメモリ領域、７５…管理装置番号データメモリ領域、７６…ログインデータメモリ領域、７７…予約データメモリ領域、８１…利用可能時間関連データメモリ領域、８２…部屋番号関連データメモリ領域、８３…管理装置番号データメモリ領域、８４…カラオケ装置番号データメモリ領域、８５…利用者データメモリ領域、７１…充電中検出電圧関連データメモリ領域、１００…ＬＡＮ、１１０…アクセスポイント、１２０，１３０…ルータ、２００…インターネット。
【図１】
2008224753.tif 000003
【図２】
2008224753.tif 000004
【図３】
2008224753.tif 000005
【図４】
2008224753.tif 000006
【図５】
2008224753.tif 000007
【図６】
2008224753.tif 000008
【図７】
2008224753.tif 000009
【図８】
2008224753.tif 000010
【図９】
2008224753.tif 000011
【図１０】
2008224753.tif 000012
【図１１】
2008224753.tif 000013